(57)【要約】  本発明は、式（Ｉ）の化合物、【化１】2012511068.tif 000066［式中、Ｘ、Ｙ、Ｔ及びＺはそれぞれ請求項１において定義されたものである］、その調製法、及びその使用に関する。
2012511068.tif 000002
【特許請求の範囲】
【請求項１】
式（Ｉ）の染料。
【化１】
2012511068.tif 000047
［式中、
Ｘ及びＴはそれぞれ独立して、式（１）〜（３）の基を表すが、
【化２】
2012511068.tif 000048
式中、
＊は、−ＮＨ−基への結合を示しており；
Ｙ及びＺはそれぞれ独立して、Ｇ１又はＧ２の意味の一つを有するが；
Ｇ１は、Ａｒ；シクロ−（Ｃ３〜Ｃ８）−アルキル；（Ｃ１〜Ｃ３５）−アルキル；１個若しくは複数のへテロ原子によって中断された（Ｃ２〜Ｃ３５）−アルキル；置換基Ｇ３〜Ｇ６の１個若しくは複数により置換された（Ｃ１〜Ｃ３５）−アルキル；又は１個若しくは複数のへテロ原子によって中断され、かつ置換基Ｇ３〜Ｇ６の１個若しくは複数により置換された（Ｃ２〜Ｃ３５）−アルキル；を表し；
Ｇ３は、トリフルオロメチル；シクロ−（Ｃ３〜Ｃ８）−アルキル；Ａｒ；ヘテロアリール；ヘテロシクロアルキル；ハロゲン；シアノ；ニトロ；ヒドロキシル；（Ｃ１〜Ｃ３５）−アルコキシ；Ａｒ−オキシ；（Ｃ２〜Ｃ３５）−アシル；Ａｒ−カルボニル、（Ｃ２〜Ｃ３５）−アシルオキシ；Ａｒ−カルボニルオキシ；（Ｃ２〜Ｃ３５）−アシルアミノ；（Ｃ１〜Ｃ３５）−アルキルスルホニルアミノ；Ａｒ−スルホニルアミノ；Ａｒ−カルボニルアミノ；カルバモイル；Ｎ−モノシクロ−（Ｃ３〜Ｃ８）−アルキル−カルバモイル；Ｎ−モノ−（Ｃ１〜Ｃ３５）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ３５）−アルキル−カルバモイル；Ｎ−モノＡｒ−カルバモイル；Ｎ，Ｎ−ジＡｒ−カルバモイル；Ｎ−モノシクロ−（Ｃ３〜Ｃ８）−アルキル−Ｎ−モノＡｒ−カルバモイル；Ｎ−モノ−（Ｃ１〜Ｃ３５）−アルキル−Ｎ−モノＡｒ−カルバモイル；（Ｃ１〜Ｃ３５）−アルコキシカルボニル；Ａｒ−オキシカルボニル；アミノ；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノＡｒ−アミノ；ジＡｒ−アミノ；モノシクロ−（Ｃ３〜Ｃ８）−アルキルモノＡｒ−アミノ；モノ−（Ｃ１〜Ｃ３５）−アルキルモノＡｒ−アミノ；アミノチオカルボニルアミノ；アミノカルボニルアミノ；スルファモイル；Ｎ−モノシクロ−（Ｃ３〜Ｃ８）−アルキル−スルファモイル；Ｎ−モノ−（Ｃ１〜Ｃ３５）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ３５）−アルキル−スルファモイル；Ｎ−モノＡｒ−スルファモイル；Ｎ，Ｎ−ジＡｒ−スルファモイル；Ｎ−モノシクロ−（Ｃ３〜Ｃ８）−アルキル−Ｎ−モノＡｒ−スルファモイル；Ｎ−モノ−（Ｃ１〜Ｃ３５）−アルキル−Ｎ−モノＡｒ−スルファモイル；アミノスルホニルアミノ；（Ｃ１〜Ｃ３５）−アルキルチオ；Ａｒチオ；（Ｃ１〜Ｃ３５）−アルキルスルホニル、又はＡｒ−スルホニル；を表し；
Ｇ４は、（Ｃ２〜Ｃ３５）−アルコキシ；（Ｃ２〜Ｃ３５）−アシル；（Ｃ２〜Ｃ３５）−アシルオキシ；（Ｃ２〜Ｃ３５）−アシルアミノ；（Ｃ２〜Ｃ３５）−アルキルスルホニルアミノ；Ｎ−モノ−（Ｃ２〜Ｃ３５）−アルキル−カルバモイル；Ｎ，Ｎ−ジ−（Ｃ２〜Ｃ３５）−アルキル−カルバモイル；Ｎ−モノ−（Ｃ２〜Ｃ３５）−アルキル−Ｎ−モノアリールカルバモイル；（Ｃ２〜Ｃ３５）−アルコキシカルボニル；モノ−（Ｃ２〜Ｃ３５）−アルキル−アミノ；ジ−（Ｃ２〜Ｃ３５）−アルキル−アミノ；モノ−（Ｃ２〜Ｃ３５）−アルキルモノアリールアミノ；Ｎ−モノ−（Ｃ２〜Ｃ３５）−アルキル−スルファモイル；Ｎ，Ｎ−ジ−（Ｃ２〜Ｃ３５）−アルキル−スルファモイル；Ｎ−モノ−（Ｃ２〜Ｃ３５）−アルキル−Ｎ−モノＡｒスルファモイル；（Ｃ２〜Ｃ３５）−アルキルチオ、又はそのアルキル基が１個若しくは複数のヘテロ原子によって中断された（Ｃ２〜Ｃ３５）−アルキルスルホニル；を表し；
Ｇ５は、シクロ−（Ｃ３〜Ｃ８）−アルキル；ヘテロシクロアルキル；（Ｃ１〜Ｃ３５）−アルコキシ；（Ｃ２〜Ｃ３５）−アシル；（Ｃ２〜Ｃ３５）−アシルオキシ；（Ｃ２〜Ｃ３５）−アシルアミノ；（Ｃ１〜Ｃ３５）−アルキルスルホニルアミノ；Ｎ−モノシクロ−（Ｃ３〜Ｃ８）−アルキル−カルバモイル；Ｎ−モノ−（Ｃ１〜Ｃ３５）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ３５）−アルキル−カルバモイル；Ｎ−モノシクロ−（Ｃ３〜Ｃ８）−アルキル−Ｎ−モノＡｒ−カルバモイル；Ｎ−モノ−（Ｃ１〜Ｃ３５）−アルキル−Ｎ−モノＡｒ−カルバモイル；（Ｃ１〜Ｃ３５）−アルコキシカルボニル；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノシクロ−（Ｃ３〜Ｃ８）−アルキルモノアリールアミノ；モノ−（Ｃ１〜Ｃ３５）−アルキルモノアリール−アミノ；Ｎ−モノシクロ−（Ｃ３〜Ｃ８）−アルキル−スルファモイル；Ｎ−モノ−（Ｃ１〜Ｃ３５）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ３５）−アルキル−スルファモイル；Ｎ−モノシクロ−（Ｃ３〜Ｃ８）−アルキル−Ｎ−モノＡｒ−スルファモイル；Ｎ−モノ−（Ｃ１〜Ｃ３５）−アルキル−Ｎ−モノＡｒ−スルファモイル；（Ｃ１〜Ｃ３５）−アルキルチオ、又はそのアルキル基がＧ７基によって置換された（Ｃ１〜Ｃ３５）−アルキルスルホニル；を表し；
Ｇ６は、そのアルキル基がＧ７基によって置換されているＧ４を表し；
Ｇ７は、トリフルオロメチル；シクロ−（Ｃ３〜Ｃ８）−アルキル；アリール；ヘテロアリール；ヘテロシクロアルキル；ハロゲン；シアノ；ニトロ；ヒドロキシル；（Ｃ１〜Ｃ３５）−アルコキシ；アリールオキシ；（Ｃ２〜Ｃ３５）−アシル；アリールカルボニル、（Ｃ２〜Ｃ３５）−アシルオキシ；アリールカルボニルオキシ；（Ｃ２〜Ｃ３５）−アシルアミノ；（Ｃ１〜Ｃ３５）−アルキルスルホニルアミノ；アリールスルホニルアミノ；アリールカルボニルアミノ；カルバモイル；Ｎ−モノシクロ−（Ｃ３〜Ｃ８）−アルキル−カルバモイル；Ｎ−モノ−（Ｃ１〜Ｃ３５）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ３５）−アルキル−カルバモイル；Ｎ−モノアリール−カルバモイル；Ｎ，Ｎ−ジアリール−カルバモイル；Ｎ−モノシクロ−（Ｃ３〜Ｃ８）−アルキル−Ｎ−モノアリールカルバモイル；Ｎ−モノ−（Ｃ１〜Ｃ３５）−アルキル−Ｎ−モノアリールカルバモイル；（Ｃ１〜Ｃ３５）−アルコキシカルボニル；アリールオキシカルボニル；アミノ；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ３５）−アルキルモノアリールアミノ；アミノチオカルボニルアミノ；アミノカルボニルアミノ；スルファモイル；Ｎ−モノシクロ−（Ｃ３〜Ｃ８）−アルキル−スルファモイル；Ｎ−モノ−（Ｃ１〜Ｃ３５）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ３５）−アルキル−スルファモイル；Ｎ−モノアリールスルファモイル；Ｎ，Ｎ−ジアリールスルファモイル；Ｎ−モノシクロ−（Ｃ３〜Ｃ８）−アルキル−Ｎ−モノアリールスルファモイル；Ｎ−モノ−（Ｃ１〜Ｃ３５）−アルキル−Ｎ−モノアリールスルファモイル；アミノスルホニルアミノ；（Ｃ１〜Ｃ３５）−アルキルチオ；アリールチオ；（Ｃ１〜Ｃ３５）−アルキルスルホニル；そのアルキル基が１個若しくは複数のヘテロ原子によって置換された（Ｃ２〜Ｃ３５）−アルキルスルホニル；を表すか、又はアリールスルホニル；を表し；
Ｇ２は、（Ｃ１〜Ｃ３５）−アルキル又は１個若しくは複数のヘテロ原子によって中断された（Ｃ２〜Ｃ３５）−アルキルを表すが、ここでそのアルキル基は、それぞれの場合において、式（４）の基によって置換されており、
【化３】
2012511068.tif 000049
式中、
Ｒ１は、水素；アリール；（Ｃ１〜Ｃ３５）−アルキル；１個若しくは複数のへテロ原子によって中断された（Ｃ２〜Ｃ３５）−アルキル；（Ｃ２〜Ｃ３５）−アシル；シクロ（Ｃ３〜Ｃ８）−アルキルカルボニル、アリールカルボニル、（Ｃ１〜Ｃ３５）−アルコキシカルボニル；アリールオキシカルボニル；（Ｃ１〜Ｃ３５）−アルキルスルホニル、アリールスルホニル；モノヒドロキシ−（Ｃ１〜Ｃ３５）−アルキル；ポリヒドロキシ−（Ｃ２〜Ｃ３５）−アルキル；（Ｃ１〜Ｃ３５）−アルコキシアルキル、又はアリールオキシ−（Ｃ１〜Ｃ３５）−アルキル；を表し；
Ｒ２は、水素、（Ｃ１〜Ｃ３５）−アルキル、単一又は多重に酸素で中断された（Ｃ２〜Ｃ３５）−アルキル、アリール、アリール−（Ｃ１〜Ｃ３５）−アルキル、（Ｃ１〜Ｃ３５）−アルキル−アリール、アリールオキシ、（Ｃ１〜Ｃ３５）−アルコキシ、モノヒドロキシ−（Ｃ１〜Ｃ３５）−アルキル又はポリヒドロキシ−（Ｃ２〜Ｃ３５）−アルキルを表し；そして式（Ｉ）の分子の内部で同一の意味か又は異なった意味を有しており；
ｖは、１〜３５の数を表し；
Ｓは、式（５）の基を表すが、
【化４】
2012511068.tif 000050
式中、
＊は、Ｕ基への結合を示しており；
ｔは、０〜２００の有理数を表し、そして式（Ｉ）の分子の内部で同一の意味か又は異なった意味を有し；そして
Ｒ３及びＲ４はそれぞれ独立して、水素、（Ｃ１〜Ｃ３５）−アルキル、単一又は多重に酸素で中断された（Ｃ２〜Ｃ３５）−アルキル、アリール、アリールオキシ、（Ｃ１〜Ｃ３５）−アルコキシ、モノヒドロキシ−（Ｃ１〜Ｃ３５）−アルキル、又はポリヒドロキシ−（Ｃ２〜Ｃ３５）−アルキルを表すが；
ここで、Ｒ３及びＲ４はそれぞれ、式（Ｉ）の分子の内部で同一の意味か又は異なった意味を有し；そしてここで、Ｒ３とＲ４とが式（Ｉ）の分子の内部で異なった意味を有している場合には、それらの異なった意味のものが、ランダムに分布しているか、又はそれぞれ同一の意味の領域が交互に並んでおり；
Ｕは、水素、ヒドロキシル、アミノ、モノ−（Ｃ１〜Ｃ３５）−アルキルアミノ、ビス−（Ｃ１〜Ｃ３５）−アルキルアミノ、（Ｃ１〜Ｃ３５）−アルキル、アリール、アリールオキシ、（Ｃ１〜Ｃ３５）−アルコキシ、モノヒドロキシ−（Ｃ１〜Ｃ３５）−アルキル、ポリヒドロキシ−（Ｃ２〜Ｃ３５）−アルキル又は（Ｃ１〜Ｃ３５）−アルキル−アリールオキシを表し；
ここで、基Ｇ１〜Ｇ６においては、Ａｒは式（６）又は（７）の基を表し、
【化５】
2012511068.tif 000051
式中、
Ｒ５〜Ｒ１１はそれぞれ独立して、Ｇ８〜Ｇ１１の意味の一つを有するか、又は式（８）の基を表し、
【化６】
2012511068.tif 000052
式中、
Ｗは、式（１）、（３）又は（９）の基を表し、
【化７】
2012511068.tif 000053
そして＊は、−ＮＲ１２基への結合を示しており；
Ｒ１２は、水素、アリール、（Ｃ１〜Ｃ３５）−アルキル、１個若しくは複数のへテロ原子によって中断された（Ｃ２〜Ｃ３５）−アルキル、（Ｃ２〜Ｃ３５）−アシル；シクロ（Ｃ３〜Ｃ８）−アルキルカルボニル、アリールカルボニル、（Ｃ１〜Ｃ３５）−アルコキシカルボニル；アリールオキシカルボニル；（Ｃ１〜Ｃ３５）−アルキルスルホニル、アリールスルホニル  モノヒドロキシ−（Ｃ１〜Ｃ３５）−アルキル、ポリヒドロキシ−（Ｃ２〜Ｃ３５）−アルキル、（Ｃ１〜Ｃ３５）−アルコキシアルキル、又はアリールオキシ−（Ｃ１〜Ｃ３５）−アルキル；を表し；
Ｒ１３は、水素、（Ｃ１〜Ｃ１５）−アルキル、単一又は多重に酸素で中断された（Ｃ２〜Ｃ１５）−アルキル、アリール、アリール−（Ｃ１〜Ｃ１５）−アルキル、（Ｃ１〜Ｃ１５）−アルキル−アリール、アリールオキシ、（Ｃ１〜Ｃ１５）−アルコキシ、モノヒドロキシ−（Ｃ１〜Ｃ１５）−アルキル又はポリヒドロキシ−（Ｃ２〜Ｃ１５）−アルキルを表し、式（Ｉ）の分子の内部で同一の意味か又は異なった意味を有することが可能であり；
ｘは、１〜３５の数を表し；
Ｖは、水素、ヒドロキシル、アミノ、モノ−（Ｃ１〜Ｃ３５）−アルキルアミノ、ビス−（Ｃ１〜Ｃ３５）−アルキルアミノ、（Ｃ１〜Ｃ３５）−アルキル、アリール、アリールオキシ、（Ｃ１〜Ｃ３５）−アルコキシ、モノヒドロキシ−（Ｃ１〜Ｃ３５）−アルキル、ポリヒドロキシ−（Ｃ２〜Ｃ３５）−アルキル又は（Ｃ１〜Ｃ３５）−アルキル−アリールオキシを表し；
Ｑは、式（１０）の基を表すが、
【化８】
2012511068.tif 000054
式中、
＊は、Ｖ基への結合を示しており；
Ｒ１４及びＲ１５はそれぞれ独立して、水素、（Ｃ１〜Ｃ３５）−アルキル、単一又は多重に酸素で中断された（Ｃ２〜Ｃ３５）−アルキル、アリール、アリールオキシ、（Ｃ１〜Ｃ３５）−アルコキシ、モノヒドロキシ−（Ｃ１〜Ｃ３５）−アルキル、又はポリヒドロキシ−（Ｃ２〜Ｃ３５）アルキルを表し、式（Ｉ）の分子の内部で同一の意味か又は異なった意味を有するが、Ｒ１４とＲ１５とが、式（Ｉ）の分子の内部で異なった意味を有している場合には、それらの異なった意味のものが、ランダムに分布するか、又はそれぞれ同一の意味の領域が交互に続き；
ｒは、０〜２００の有理数を表し、そして式（Ｉ）の分子の内部で同一の意味か又は異なった意味を有し；
Ｇ８は、水素、（Ｃ１〜Ｃ３５）−アルキル；トリフルオロメチル；シクロ−（Ｃ３〜Ｃ８）−アルキル；アリール；ヘテロアリール；ヘテロシクロアルキル；ハロゲン；シアノ；ニトロ；ヒドロキシル；（Ｃ１〜Ｃ３５）−アルコキシ；アリールオキシ；（Ｃ２〜Ｃ３５）−アシル；シクロ−（Ｃ３〜Ｃ８）−アルキルカルボニル、アリールカルボニル、（Ｃ２〜Ｃ３５）−アシルオキシ；アリールカルボニルオキシ；（Ｃ２〜Ｃ３５）−アシルアミノ；（Ｃ１〜Ｃ３５）−アルキルスルホニルアミノ；アリールスルホニルアミノ；アリールカルボニルアミノ；カルバモイル；Ｎ−モノシクロ−（Ｃ３〜Ｃ８）−アルキル−カルバモイル；Ｎ−モノ−（Ｃ１〜Ｃ３５）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ３５）−アルキル−カルバモイル；Ｎ−モノアリール−カルバモイル；Ｎ，Ｎ−ジアリール−カルバモイル；Ｎ−モノシクロ−（Ｃ３〜Ｃ８）−アルキル−Ｎ−モノアリールカルバモイル；Ｎ−モノ−（Ｃ１〜Ｃ３５）−アルキル−Ｎ−モノアリールカルバモイル；（Ｃ１〜Ｃ３５）−アルコキシカルボニル；アリールオキシカルボニル；アミノ；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ３５）−アルキルモノアリール−アミノ；アミノチオカルボニルアミノ；アミノカルボニルアミノ；スルファモイル；Ｎ−モノシクロ−（Ｃ３〜Ｃ８）−アルキル−スルファモイル；Ｎ−モノ−（Ｃ１〜Ｃ３５）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ３５）−アルキル−スルファモイル；Ｎ−モノアリール−スルファモイル；Ｎ，Ｎ−ジアリール−スルファモイル；Ｎ−モノシクロ−（Ｃ３〜Ｃ８）−アルキル−Ｎ−モノアリールスルファモイル；Ｎ−モノ−（Ｃ１〜Ｃ３５）−アルキル−Ｎ−モノアリールスルファモイル；アミノスルホニルアミノ；（Ｃ１〜Ｃ３５）−アルキルチオ；アリールチオ；（Ｃ１〜Ｃ３５）−アルキルスルホニル、又はアリールスルホニルを表し；
Ｇ９は、（Ｃ２〜Ｃ３５）−アルキル；（Ｃ２〜Ｃ３５）−アルコキシ；（Ｃ２〜Ｃ３５）−アシル；（Ｃ２〜Ｃ３５）−アシルオキシ；（Ｃ２〜Ｃ３５）−アシルアミノ；（Ｃ２〜Ｃ３５）−アルキルスルホニルアミノ；Ｎ−モノ−（Ｃ２〜Ｃ３５）−アルキル−カルバモイル；Ｎ，Ｎ−ジ−（Ｃ２〜Ｃ３５）−アルキル−カルバモイル；Ｎ−モノ−（Ｃ２〜Ｃ３５）−アルキル−Ｎ−モノアリールカルバモイル；（Ｃ２〜Ｃ３５）−アルコキシカルボニル；モノ−（Ｃ２〜Ｃ３５）−アルキル−アミノ；ジ−（Ｃ２〜Ｃ３５）−アルキル−アミノ；モノ−（Ｃ２〜Ｃ３５）−アルキルモノアリール−アミノ；Ｎ−モノ−（Ｃ２〜Ｃ３５）−アルキル−スルファモイル；Ｎ，Ｎ−ジ−（Ｃ２〜Ｃ３５）−アルキル−スルファモイル；Ｎ−モノ−（Ｃ２〜Ｃ３５）−アルキル−Ｎ−モノアリールスルファモイル；（Ｃ２〜Ｃ３５）−アルキルチオ、又は（Ｃ２〜Ｃ３５）−アルキルスルホニルを表すが、ここでそのアルキル基は、１個若しくは複数のヘテロ原子又は１個若しくは複数のヘテロ原子基によって中断されており； 
Ｇ１０は、（Ｃ１〜Ｃ３５）−アルキル；シクロ−（Ｃ３〜Ｃ８）−アルキル；ヘテロシクロアルキル；（Ｃ１〜Ｃ３５）−アルコキシ；（Ｃ２〜Ｃ３５）−アシル；シクロ−（Ｃ３〜Ｃ８）−アルキルカルボニル；（Ｃ２〜Ｃ３５）−アシルオキシ；（Ｃ２〜Ｃ３５）−アシルアミノ；（Ｃ１〜Ｃ３５）−アルキルスルホニルアミノ；Ｎ−モノシクロ−（Ｃ３〜Ｃ８）−アルキル−カルバモイル；Ｎ−モノ−（Ｃ１〜Ｃ３５）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ３５）−アルキル−カルバモイル；Ｎ−モノシクロ−（Ｃ３〜Ｃ８）−アルキル−Ｎ−モノアリールカルバモイル；Ｎ−モノ−（Ｃ１〜Ｃ３５）−アルキル−Ｎ−モノアリールカルバモイル；（Ｃ１〜Ｃ３５）−アルコキシカルボニル；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノシクロ−（Ｃ３〜Ｃ８）−アルキルモノアリールアミノ；モノ−（Ｃ１〜Ｃ３５）−アルキルモノアリール−アミノ；Ｎ−モノシクロ−（Ｃ３〜Ｃ８）−アルキル−スルファモイル；Ｎ−モノ−（Ｃ１〜Ｃ３５）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ３５）−アルキル−スルファモイル；Ｎ−モノシクロ−（Ｃ３〜Ｃ８）−アルキル−Ｎ−モノアリールスルファモイル；Ｎ−モノ−（Ｃ１〜Ｃ３５）−アルキル−Ｎ−モノアリールスルファモイル；（Ｃ１〜Ｃ３５）−アルキルチオ、又はそのアルキル基が１個若しくは複数のＧ７置換基によって置換された（Ｃ１〜Ｃ３５）−アルキルスルホニル；を表し；
Ｇ１１は、そのアルキル基が１個若しくは複数のＧ７置換基によって置換されたＧ９を表すが；
ここで、Ｇ７〜Ｇ１１の基においては、アリールは、式（１１）又は（１２）の基を表し、
【化９】
2012511068.tif 000055
式中、
Ｒ１６〜Ｒ２２はそれぞれ独立して、Ｇ１２の基を表し；そして
Ｇ１２は、水素；（Ｃ１〜Ｃ１８）−アルキル；モノヒドロキシ−（Ｃ１〜Ｃ１８）−アルキル；ポリヒドロキシ−（Ｃ２〜Ｃ１８）−アルキル；１個若しくは複数の酸素原子によって中断された（Ｃ１〜Ｃ１８）−アルキル；トリフルオロメチル；シクロ−（Ｃ３〜Ｃ８）−アルキル；ヘテロアリール；ヘテロシクロアルキル；ハロゲン；シアノ；ニトロ；ヒドロキシル；（Ｃ１〜Ｃ１８）−アルコキシ；（Ｃ２〜Ｃ１８）−アシル；シクロ−（Ｃ３〜Ｃ８）−アルキルカルボニル、（Ｃ２〜Ｃ１８）−アシルオキシ；（Ｃ２〜Ｃ１８）−アシルアミノ；（Ｃ１〜Ｃ１８）−アルキルスルホニルアミノ；カルバモイル；Ｎ−モノシクロ−（Ｃ３〜Ｃ８）−アルキル−カルバモイル；Ｎ−モノ−（Ｃ１〜Ｃ１８）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ１８）−アルキル−カルバモイル；（Ｃ１〜Ｃ１８）−アルコキシカルボニル；アミノ；モノシクロ−（Ｃ３〜Ｃ８）−アルキル−アミノ；モノ−（Ｃ１〜Ｃ１８）−アルキル−アミノ；ジ（シクロ）−（Ｃ３〜Ｃ８）−アルキル−アミノ；ジ−（Ｃ１〜Ｃ１８）−アルキル−アミノ；アミノチオカルボニルアミノ；アミノカルボニルアミノ；スルファモイル；Ｎ−モノシクロ−（Ｃ３〜Ｃ８）−アルキル−スルファモイル；Ｎ−モノ−（Ｃ１〜Ｃ１８）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ１８）−アルキル−スルファモイル；アミノスルホニルアミノ；（Ｃ１〜Ｃ１８）−アルキルチオ、又は（Ｃ１〜Ｃ１８）−アルキルスルホニル；を表すが；
式中、
ＸとＴが共に式（１）の基を表す場合には、
ＹとＺが共に、（Ｃ１〜Ｃ３５）−アルキル；Ｒ５、Ｒ６及びＲ７がそれぞれ独立して、水素、ハロゲン、ニトロ、（Ｃ１〜Ｃ３５）−アルキル、（Ｃ１〜Ｃ３５）−アルコキシ；モノ−（Ｃ１〜Ｃ３５）−アルキルアミノ、ジ−（Ｃ１〜Ｃ３５）−アルキルアミノ、（Ｃ１〜Ｃ３５）−アルキルチオ、（Ｃ２〜Ｃ３５）−アシル、ベンゾイルアミノ、若しくはベンゼンスルホニルアミノを表している式（６）の基；又は、Ｒ４、Ｒ５及びＲ６がそれぞれ独立して、水素、ハロゲン、ニトロ、（Ｃ１〜Ｃ３５）−アルキル、（Ｃ１〜Ｃ３５）−アルコキシ；モノ−（Ｃ１〜Ｃ３５）−アルキルアミノ、ジ−（Ｃ１〜Ｃ３５）−アルキルアミノ若しくは（Ｃ１〜Ｃ３５）−アルキルチオを表している式（７）の基によって置換されたメチル若しくはエチル基を表すことはなく；
そして、ＹとＺの内の一方が（Ｃ１〜Ｃ３５）−アルキルを表し、他方が水素を表している場合には、この限りではなく；そして
ＸとＴが共に式（２）の基を表す場合には、
ＹとＺが共に、（Ｃ１〜Ｃ３５）−アルキル；ハロゲンによって置換された（Ｃ１〜Ｃ３５）−アルキル、（Ｃ１〜Ｃ３５）−アルキルスルホニル、置換若しくは非置換のベンゼンスルホニル、又は、Ｒ５、Ｒ６及びＲ７が独立して、水素、ハロゲン、（Ｃ１〜Ｃ３５）−アルキル若しくは（Ｃ１〜Ｃ３５）−アルコキシを表している式（６）の基；Ｒ５、Ｒ６及びＲ７がそれぞれ独立して、水素、ハロゲン、ニトロ、シアノ、（Ｃ１〜Ｃ３５）−アルキル、（Ｃ１〜Ｃ３５）−アルコキシ若しくはアリールを表している式（６）の基；又は置換若しくは非置換ベンゾイルを表すことはなく；そして
ＸとＴが共に式（３）の基を表す場合には、
ＹとＺが共に、Ｒ５、Ｒ６及びＲ７がそれぞれ独立して、水素、ハロゲン、ニトロ、（Ｃ１〜Ｃ３５）−アルキル、（Ｃ１〜Ｃ３５）−アルコキシ；（Ｃ２〜Ｃ３５）−アシル、ベンゾイルアミノ又はベンゼンスルホニルアミノを表している式（６）の基を表すことはない。］
【請求項２】
式（Ｉａ）に合致する、請求項１に記載の染料。
【化１０】
2012511068.tif 000056
［式中、
Ｙ１及びＺ１はそれぞれ独立して、Ａｒ１；シクロ−（Ｃ３〜Ｃ８）−アルキル；（Ｃ１〜Ｃ３５）−アルキル；１個若しくは複数の酸素若しくは硫黄原子によって中断された（Ｃ２〜Ｃ３５）−アルキル；１個若しくは複数のＧ１３〜Ｇ１６置換基によって置換された（Ｃ１〜Ｃ３５）−アルキル；１個若しくは複数の酸素若しくは硫黄原子によって中断され、かつ１個若しくは複数のＧ１３〜Ｇ１６置換基によって置換された（Ｃ２〜Ｃ３５）−アルキル；を表し；
Ｇ１３は、シクロ−（Ｃ５〜Ｃ６）−アルキル；アリール；５若しくは６個の環メンバーを有するヘテロシクロアルキル；ハロゲン；シアノ；ヒドロキシル；（Ｃ１〜Ｃ１８）−アルコキシ；アリールオキシ；（Ｃ２〜Ｃ１８）−アシル、アリールカルボニル；（Ｃ２〜Ｃ３５）−アシルアミノ；（Ｃ１〜Ｃ３５）−アルキルスルホニルアミノ；アリールスルホニルアミノ；アリールカルボニルアミノ；アミノ；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ３５）−アルキルモノアリール−アミノ；アミノチオカルボニルアミノ；アミノカルボニルアミノ；アミノスルホニルアミノ；（Ｃ１〜Ｃ３５）−アルキルチオ；アリールチオ；（Ｃ１〜Ｃ３５）−アルキルスルホニル、又はアリールスルホニル；を表し；
Ｇ１４は、（Ｃ２〜Ｃ１８）−アルコキシ；（Ｃ２〜Ｃ１８）−アシル、（Ｃ２〜Ｃ３５）−アシルアミノ；（Ｃ２〜Ｃ３５）−アルキルスルホニルアミノ；モノ−（Ｃ２〜Ｃ３５）−アルキル−アミノ；ジ−（Ｃ２〜Ｃ３５）−アルキル−アミノ；モノ−（Ｃ２〜Ｃ３５）−アルキルモノアリール−アミノ；（Ｃ２〜Ｃ３５）−アルキルチオ；又はそのアルキル基が１個若しくは複数のヘテロ原子によって中断された（Ｃ２〜Ｃ３５）−アルキルスルホニル；を表し；
Ｇ１５は、シクロ−（Ｃ５〜Ｃ６）−アルキル；アリール；５若しくは６個の環メンバーを有するヘテロシクロアルキル；（Ｃ１〜Ｃ１８）−アルコキシ；（Ｃ２〜Ｃ１８）−アシル、（Ｃ２〜Ｃ３５）−アシルアミノ；（Ｃ１〜Ｃ３５）−アルキルスルホニルアミノ；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノシクロ−（Ｃ３〜Ｃ８）−アルキルモノアリールアミノ；モノ−（Ｃ１〜Ｃ３５）−アルキルモノアリール−アミノ；（Ｃ１〜Ｃ３５）−アルキルチオ；又はそのアルキル基がＧ１７置換基によって置換された（Ｃ１〜Ｃ３５）−アルキルスルホニル；を表し；
Ｇ１６は、Ｇ１４を表すが、ここでそのアルキル基は、Ｇ１７基によって置換されており；
Ｇ１７は、トリフルオロメチル；シクロ−（Ｃ３〜Ｃ８）−アルキル；アリール；ヘテロアリール；ヘテロシクロアルキル；ハロゲン；シアノ；ニトロ；ヒドロキシル；（Ｃ１〜Ｃ３５）−アルコキシ；アリールオキシ；（Ｃ２〜Ｃ３５）−アシル；アリールカルボニル、（Ｃ２〜Ｃ３５）−アシルオキシ；アリールカルボニルオキシ；（Ｃ２〜Ｃ３５）−アシルアミノ；（Ｃ１〜Ｃ３５）−アルキルスルホニルアミノ；アリールスルホニルアミノ；アリールカルボニルアミノ；カルバモイル；Ｎ−モノシクロ−（Ｃ３〜Ｃ８）−アルキル−カルバモイル；Ｎ−モノ−（Ｃ１〜Ｃ３５）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ３５）−アルキル−カルバモイル；Ｎ−モノアリール−カルバモイル；Ｎ，Ｎ−ジアリール−カルバモイル；Ｎ−モノシクロ−（Ｃ３〜Ｃ８）−アルキル−Ｎ−モノアリールカルバモイル；Ｎ−モノ−（Ｃ１〜Ｃ３５）−アルキル−Ｎ−モノアリールカルバモイル；（Ｃ１〜Ｃ３５）−アルコキシカルボニル；アリールオキシカルボニル；アミノ；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ３５）−アルキルモノアリール−アミノ；アミノチオカルボニルアミノ；アミノカルボニルアミノ；スルファモイル；Ｎ−モノシクロ−（Ｃ３〜Ｃ８）−アルキル−スルファモイル；Ｎ−モノ−（Ｃ１〜Ｃ３５）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ３５）−アルキル−スルファモイル；Ｎ−モノアリール−スルファモイル；Ｎ，Ｎ−ジアリール−スルファモイル；Ｎ−モノシクロ−（Ｃ３〜Ｃ８）−アルキル−Ｎ−モノアリールスルファモイル；Ｎ−モノ−（Ｃ１〜Ｃ３５）−アルキル−Ｎ−モノアリールスルファモイル；アミノスルホニルアミノ；（Ｃ１〜Ｃ３５）−アルキルチオ；アリールチオ；（Ｃ１〜Ｃ３５）−アルキルスルホニル、そのアルキル基が１個若しくは複数のヘテロ原子によって置換された（Ｃ２〜Ｃ３５）−アルキルスルホニル；を表すか、又はアリールスルホニルを表し；
Ａｒ１は、式（６ａ）又は（７ａ）の基を表すが、
【化１１】
2012511068.tif 000057
式中、
Ｒ５’〜Ｒ１１’はそれぞれ独立して、水素；（Ｃ１〜Ｃ３５）アルキル；シクロ−（Ｃ３〜Ｃ８）−アルキル；アリール；ヘテロアリール；ヘテロシクロアルキル；ハロゲン；シアノ；ニトロ；ヒドロキシル；（Ｃ１〜Ｃ３５）−アルコキシ；アリールオキシ；（Ｃ２〜Ｃ３５）−アシル；シクロ−（Ｃ３〜Ｃ８）−アルキルカルボニル、アリールカルボニル、（Ｃ２〜Ｃ３５）−アシルオキシ；アリールカルボニルオキシ；（Ｃ２〜Ｃ３５）−アシルアミノ；（Ｃ１〜Ｃ３５）−アルキルスルホニルアミノ；アリールスルホニルアミノ；アリールカルボニルアミノ；カルバモイル；Ｎ−モノシクロ−（Ｃ３〜Ｃ８）−アルキル−カルバモイル；Ｎ−モノ−（Ｃ１〜Ｃ３５）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ３５）−アルキル−カルバモイル；Ｎ−モノアリール−カルバモイル；Ｎ，Ｎ−ジアリール−カルバモイル；Ｎ−モノシクロ−（Ｃ３〜Ｃ８）−アルキル−Ｎ−モノアリールカルバモイル；Ｎ−モノ−（Ｃ１〜Ｃ３５）−アルキル−Ｎ−モノアリールカルバモイル；（Ｃ１〜Ｃ３５）−アルコキシカルボニル；アリールオキシカルボニル；アミノ；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ３５）−アルキルモノアリール−アミノ；アミノチオカルボニルアミノ；アミノカルボニルアミノ；スルファモイル；Ｎ−モノシクロ−（Ｃ３〜Ｃ８）−アルキル−スルファモイル；Ｎ−モノ−（Ｃ１〜Ｃ３５）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ３５）−アルキル−スルファモイル；Ｎ−モノアリール−スルファモイル；Ｎ，Ｎ−ジアリール−スルファモイル；Ｎ−モノシクロ−（Ｃ３〜Ｃ８）−アルキル−Ｎ−モノアリールスルファモイル；Ｎ−モノ−（Ｃ１〜Ｃ３５）−アルキル−Ｎ−モノアリールスルファモイル；アミノスルホニルアミノ；（Ｃ１〜Ｃ３５）−アルキルチオ；アリールチオ；（Ｃ１〜Ｃ３５）−アルキルスルホニル、又はアリールスルホニル又は式（８ａ）の置換基；を表すが；
【化１２】
2012511068.tif 000058
式中、
Ｗは、先に定義されたものであり；
Ｒ１２’は、水素、（Ｃ２〜Ｃ３５）−アシル；シクロ（Ｃ３〜Ｃ８）−アルキルカルボニル、アリールカルボニル、（Ｃ１〜Ｃ３５）−アルキルスルホニル、又はアリールスルホニルを表し；
Ｒ１３’は、水素又は（Ｃ１〜Ｃ１５）−アルキルを表すが、式（Ｉａ）の分子の内部で同一の意味か又は異なった意味を有し；
ｘ’は、１〜１０の数を表し；
Ｖ１は、水素、（Ｃ１〜Ｃ３５）−アルキル、アリール、アリールオキシ、（Ｃ１〜Ｃ３５）−アルコキシ、又は（Ｃ１〜Ｃ３５）−アルキル−アリールオキシを表し；
Ｑ１は、式（１０ａ）の基を表すが、
【化１３】
2012511068.tif 000059
式中、
＊は、Ｖ１基への結合を示しており；
Ｒ１４’及びＲ１５’はそれぞれ独立して、水素又は（Ｃ１〜Ｃ３５）−アルキルを表し、式（Ｉａ）の分子の内部で同一の意味か又は異なった意味を有し、Ｒ１４’とＲ１５’とが、式（Ｉａ）の分子の内部で異なった意味を有している場合には、それらの異なった意味のものが、ランダムに分布するか、又はそれぞれ同一の意味の領域が交互に続き；
ｒ’は、０〜１００の有理数を表し、そして式（Ｉａ）の分子の内部で同一の意味か又は異なった意味を有し；そして
アリールは、先に定義されたものである。］
【請求項３】
式（Ｉｂ）に合致する、請求項１に記載の染料。
【化１４】
2012511068.tif 000060
［式中、
Ｙ２及びＺ２はそれぞれ独立して、（Ｃ１〜Ｃ３５）−アルキル、又は１個若しくは複数のヘテロ原子によって中断された（Ｃ２〜Ｃ３５）−アルキルを表すが、ここで、それぞれの場合において、そのアルキル基が式（４ａ）の基によって置換されており、
【化１５】
2012511068.tif 000061
式中、
Ｒ１’は、水素又は（Ｃ１〜Ｃ３５）−アルキルを表し；
Ｒ２’は、水素又は（Ｃ１〜Ｃ３５）−アルキルを表すが、式（Ｉｂ）の分子の内部で同一の意味か又は異なった意味を有し；
ｖ’は、１〜１０の数を表し；
Ｓ１は、式（５ａ）の基を表すが；
【化１６】
2012511068.tif 000062
式中、
＊は、Ｕ１基への結合を示しており；
ｔ’は、０〜１００の有理数を表し、そして式（Ｉｂ）の分子の内部で同一の意味か又は異なった意味を有し；そして
Ｒ３’及びＲ４’はそれぞれ独立して、水素又は（Ｃ１〜Ｃ３５）−アルキルを表すが、ここでＲ３’とＲ４’とがそれぞれ、式（Ｉｂ）の分子の内部で同一の意味か又は異なった意味を有しており；そして、Ｒ３’とＲ４’とが、式（Ｉｂ）の分子の内部で異なった意味を有している場合には、それらの異なった意味のものが、ランダムに分布するか、又はそれぞれ同一の意味の領域が交互に続き；そして
Ｕ１は、水素、（Ｃ１〜Ｃ３５）−アルキル、アリール、アリールオキシ、（Ｃ１〜Ｃ３５）−アルコキシ、又は（Ｃ１〜Ｃ３５）−アルキル−アリールオキシを表す。］
【請求項４】
式（Ｉｃ）に合致する、請求項１に記載の染料。
【化１７】
2012511068.tif 000063
［式中、Ｙ１及びＺ１はそれぞれ、請求項２において定義されたものである。］
【請求項５】
式（Ｉｄ）に合致する、請求項１に記載の染料。
【化１８】
2012511068.tif 000064
［式中、
Ｙ３及びＺ３はそれぞれ独立して、ナフチル；Ｇ１８置換基の１個若しくは複数によって置換された（Ｃ１〜Ｃ３５）−アルキル；又は、１個若しくは複数の酸素若しくは硫黄原子によって中断され、かつＧ１８置換基の１個若しくは複数によって置換された（Ｃ２〜Ｃ３５）−アルキル；を表し；
Ｇ１８は、シクロ−（Ｃ３〜Ｃ８）−アルキル；アリール；ハロゲン；シアノ；（Ｃ１〜Ｃ３５）−アルコキシ；アリールオキシ；（Ｃ２〜Ｃ３５）−アシル；アリールカルボニル、（Ｃ２〜Ｃ３５）−アシルアミノ；（Ｃ１〜Ｃ３５）−アルキルスルホニルアミノ；アリールスルホニルアミノ；アリールカルボニルアミノ；アミノ；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ３５）−アルキルモノアリール−アミノ；アミノチオカルボニルアミノ；アミノカルボニルアミノ；アミノスルホニルアミノ；（Ｃ１〜Ｃ３５）−アルキルチオ；アリールチオ；（Ｃ１〜Ｃ３５）−アルキルスルホニル、アリールスルホニル、又は請求項１において定義された式（４）の基；を表す。］
【請求項６】
請求項１に記載の式（Ｉ）の染料を調製するためのプロセスであって、
前記式（ＩＩ）の化合物を、
【化１９】
2012511068.tif 000065
式（ＩＩＩ）の化合物及び式（ＩＶ）の化合物、
Ｋ−Ｘ−Ｙ（ＩＩＩ）      Ｋ−Ｔ−Ｚ（ＩＶ）
［式中、Ｘ、Ｙ、Ｔ及びＺはそれぞれ請求項１において定義されたものであり、Ｋは塩素又は臭素を表している。］
と反応させることを含む、プロセス。
【請求項７】
ポリマーを着色するための、請求項１〜５のいずれか１項に記載の式（１）の染料の使用。
【請求項８】
請求項１〜５のいずれか１項に記載の式（１）の化合物及びキャリヤー物質を含む、マスターバッチ。
【発明の詳細な説明】
【背景技術】
【０００１】
染料を用いて各種の方法によりポリマーを着色することができる。一つの方法は、ポリマーの大量着色であって、その方法では、たとえば顔料又は染料をポリマーと混合し、そのポリマーを溶融させて、その染料をポリマーのマトリックスの中に送り込む。その他のプロセスとしては、着色された、あるいはさらに詳しくは、溶液又は分散体からポリマーの中に拡散する染料によって染色されたポリマーが挙げられるが、それらの例は、たとえば、分散染料、カチオン染料、酸性染料、含金属染料又は反応性染料を用いた、たとえばポリエステル、ポリアクリロニトリル、ポリウレタン、セルロース又はポリアミドからなるポリマー繊維の染色である。反応性染料を使用することによって、染料と基材との間に共有結合が生成し、それが染色／着色に特に高い堅牢性を与える。ポリマーを着色させるためのまた別な方法は、ポリマーを生成させるより前、又はポリマーを生成させている過程で、そのポリマーのモノマー又はオリゴマーに染料を添加する方法である。ポリマーの骨組みに対して共有結合を形成することが可能な染料では、同様にして、着色において高い堅牢性が得られるであろう。このために、それに使用される染料、より正確には、それらの染料発色団が重合条件下で充分な安定性を有していなければならない。
【０００２】
市販されている顔料をポリマーの大量着色に使用したときには、極めて高い堅牢性を有する着色ポリマーを与えるが、その着色は艶消しである、すなわち透明性に欠ける。ポリマーのための市販されている染料は通常、分散染料又は油溶性染料であって、ポリマーを着色させるために使用すると、その中で染料が、ほんの低い耐ブリード堅牢性しか有さないような着色ポリマーが得られる場合が多い。さらに、公知の染料の多くのものは、ポリオレフィン中における耐光堅牢性が劣っていたり、あるいは熱安定性が低かったりする。
【０００３】
ポリオレフィンにおいて、良好な耐ブリード堅牢性、良好な耐光堅牢性、良好な熱安定性、さらには高い彩度及び透明性を有し、しかも使用されたポリオレフィンの性質に悪影響を与えないような染料は、それほど多くは知られていない。
【０００４】
特許文献１、特許文献２、及び特許文献３には、ジアントラキノニル染料の記載があり、それらは、上述の要求性能をある程度満たしてはいる。しかしながら、それらに記載されている染料は、耐ブリード堅牢性が望まれる場合には、極めて限られた色相のパレットのみ、そして極めて限られた彩度しか与えない。
【先行技術文献】
【特許文献】
【０００５】
【特許文献１】欧州特許出願公開第０  ４２３  ０６８Ａ１号明細書
【特許文献２】欧州特許出願公開第０  ６４８  ８１７Ａ１号明細書
【特許文献３】特開２００３−４３６８０号公報
【発明の概要】
【発明が解決しようとする課題】
【０００６】
したがって、前述の性質を有し、そのためにポリオレフィンを着色するのに有用であるような染料が必要とされている。
【課題を解決するための手段】
【０００７】
２個のトリアジン環によって置換されたジアントラキノニル染料が、ポリオレフィン及びその他の基材を着色するための有用な染料を構成するということが、今や見出された。それらは、適用条件下で高い安定性を有し、ポリマーに容易に可溶であるか又は適切な有機溶媒と混和性があり、極めて良好な堅牢性を有する、高度に透明性の高い着色を与える。
【０００８】
したがって、本発明は式（Ｉ）の染料を提供する。
【化１】
2012511068.tif 000003
［式中、
Ｘ及びＴはそれぞれ独立して、式（１）〜（３）の基を表すが、
【化２】
2012511068.tif 000004
式中、
＊は、−ＮＨ−基への結合を示しており；
Ｙ及びＺはそれぞれ独立して、Ｇ１又はＧ２の意味の一つを有するが；
Ｇ１は、Ａｒ；シクロ−（Ｃ３〜Ｃ８）−アルキル；（Ｃ１〜Ｃ３５）−アルキル；１個若しくは複数のへテロ原子によって中断された（Ｃ２〜Ｃ３５）−アルキル；置換基Ｇ３〜Ｇ６の１個若しくは複数により置換された（Ｃ１〜Ｃ３５）−アルキル；又は１個若しくは複数のへテロ原子によって中断され、かつ置換基Ｇ３〜Ｇ６の１個若しくは複数により置換された（Ｃ２〜Ｃ３５）−アルキル；を表し；
Ｇ３は、トリフルオロメチル；シクロ−（Ｃ３〜Ｃ８）−アルキル；Ａｒ；ヘテロアリール；ヘテロシクロアルキル；ハロゲン；シアノ；ニトロ；ヒドロキシル；（Ｃ１〜Ｃ３５）−アルコキシ；Ａｒ−オキシ；（Ｃ２〜Ｃ３５）−アシル；Ａｒ−カルボニル、（Ｃ２〜Ｃ３５）−アシルオキシ；Ａｒ−カルボニルオキシ；（Ｃ２〜Ｃ３５）−アシルアミノ；（Ｃ１〜Ｃ３５）−アルキルスルホニルアミノ；Ａｒ−スルホニルアミノ；Ａｒ−カルボニルアミノ；カルバモイル；Ｎ−モノシクロ−（Ｃ３〜Ｃ８）−アルキル−カルバモイル；Ｎ−モノ−（Ｃ１〜Ｃ３５）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ３５）−アルキル−カルバモイル；Ｎ−モノＡｒ−カルバモイル；Ｎ，Ｎ−ジＡｒ−カルバモイル；Ｎ−モノシクロ−（Ｃ３〜Ｃ８）−アルキル−Ｎ−モノＡｒ−カルバモイル；Ｎ−モノ−（Ｃ１〜Ｃ３５）−アルキル−Ｎ−モノＡｒ−カルバモイル；（Ｃ１〜Ｃ３５）−アルコキシカルボニル；Ａｒ−オキシカルボニル；アミノ；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノＡｒ−アミノ；ジＡｒ−アミノ；モノシクロ−（Ｃ３〜Ｃ８）−アルキルモノＡｒ−アミノ；モノ−（Ｃ１〜Ｃ３５）−アルキルモノＡｒ−アミノ；アミノチオカルボニルアミノ；アミノカルボニルアミノ；スルファモイル；Ｎ−モノシクロ−（Ｃ３〜Ｃ８）−アルキル−スルファモイル；Ｎ−モノ−（Ｃ１〜Ｃ３５）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ３５）−アルキル−スルファモイル；Ｎ−モノＡｒ−スルファモイル；Ｎ，Ｎ−ジＡｒ−スルファモイル；Ｎ−モノシクロ−（Ｃ３〜Ｃ８）−アルキル−Ｎ−モノＡｒ−スルファモイル；Ｎ−モノ−（Ｃ１〜Ｃ３５）−アルキル−Ｎ−モノＡｒ−スルファモイル；アミノスルホニルアミノ；（Ｃ１〜Ｃ３５）−アルキルチオ；Ａｒチオ；（Ｃ１〜Ｃ３５）−アルキルスルホニル、又はＡｒ−スルホニル；を表し；
Ｇ４は、（Ｃ２〜Ｃ３５）−アルコキシ；（Ｃ２〜Ｃ３５）−アシル；（Ｃ２〜Ｃ３５）−アシルオキシ；（Ｃ２〜Ｃ３５）−アシルアミノ；（Ｃ２〜Ｃ３５）−アルキルスルホニルアミノ；Ｎ−モノ−（Ｃ２〜Ｃ３５）−アルキル−カルバモイル；Ｎ，Ｎ−ジ−（Ｃ２〜Ｃ３５）−アルキル−カルバモイル；Ｎ−モノ−（Ｃ２〜Ｃ３５）−アルキル−Ｎ−モノアリールカルバモイル；（Ｃ２〜Ｃ３５）−アルコキシカルボニル；モノ−（Ｃ２〜Ｃ３５）−アルキル−アミノ；ジ−（Ｃ２〜Ｃ３５）−アルキル−アミノ；モノ−（Ｃ２〜Ｃ３５）−アルキルモノアリールアミノ；Ｎ−モノ−（Ｃ２〜Ｃ３５）−アルキル−スルファモイル；Ｎ，Ｎ−ジ−（Ｃ２〜Ｃ３５）−アルキル−スルファモイル；Ｎ−モノ−（Ｃ２〜Ｃ３５）−アルキル−Ｎ−モノＡｒスルファモイル；（Ｃ２〜Ｃ３５）−アルキルチオ、又はそのアルキル基が１個若しくは複数のヘテロ原子によって中断された（Ｃ２〜Ｃ３５）−アルキルスルホニル；を表し；
Ｇ５は、シクロ−（Ｃ３〜Ｃ８）−アルキル；ヘテロシクロアルキル；（Ｃ１〜Ｃ３５）−アルコキシ；（Ｃ２〜Ｃ３５）−アシル；（Ｃ２〜Ｃ３５）−アシルオキシ；（Ｃ２〜Ｃ３５）−アシルアミノ；（Ｃ１〜Ｃ３５）−アルキルスルホニルアミノ；Ｎ−モノシクロ−（Ｃ３〜Ｃ８）−アルキル−カルバモイル；Ｎ−モノ−（Ｃ１〜Ｃ３５）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ３５）−アルキル−カルバモイル；Ｎ−モノシクロ−（Ｃ３〜Ｃ８）−アルキル−Ｎ−モノＡｒ−カルバモイル；Ｎ−モノ−（Ｃ１〜Ｃ３５）−アルキル−Ｎ−モノＡｒ−カルバモイル；（Ｃ１〜Ｃ３５）−アルコキシカルボニル；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノシクロ−（Ｃ３〜Ｃ８）−アルキルモノアリールアミノ；モノ−（Ｃ１〜Ｃ３５）−アルキルモノアリール−アミノ；Ｎ−モノシクロ−（Ｃ３〜Ｃ８）−アルキル−スルファモイル；Ｎ−モノ−（Ｃ１〜Ｃ３５）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ３５）−アルキル−スルファモイル；Ｎ−モノシクロ−（Ｃ３〜Ｃ８）−アルキル−Ｎ−モノＡｒ−スルファモイル；Ｎ−モノ−（Ｃ１〜Ｃ３５）−アルキル−Ｎ−モノＡｒ−スルファモイル；（Ｃ１〜Ｃ３５）−アルキルチオ、又はそのアルキル基がＧ７基によって置換された（Ｃ１〜Ｃ３５）−アルキルスルホニル；を表し；
Ｇ６は、そのアルキル基がＧ７基によって置換されているＧ４を表し；
Ｇ７は、トリフルオロメチル；シクロ−（Ｃ３〜Ｃ８）−アルキル；アリール；ヘテロアリール；ヘテロシクロアルキル；ハロゲン；シアノ；ニトロ；ヒドロキシル；（Ｃ１〜Ｃ３５）−アルコキシ；アリールオキシ；（Ｃ２〜Ｃ３５）−アシル；アリールカルボニル、（Ｃ２〜Ｃ３５）−アシルオキシ；アリールカルボニルオキシ；（Ｃ２〜Ｃ３５）−アシルアミノ；（Ｃ１〜Ｃ３５）−アルキルスルホニルアミノ；アリールスルホニルアミノ；アリールカルボニルアミノ；カルバモイル；Ｎ−モノシクロ−（Ｃ３〜Ｃ８）−アルキル−カルバモイル；Ｎ−モノ−（Ｃ１〜Ｃ３５）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ３５）−アルキル−カルバモイル；Ｎ−モノアリール−カルバモイル；Ｎ，Ｎ−ジアリール−カルバモイル；Ｎ−モノシクロ−（Ｃ３〜Ｃ８）−アルキル−Ｎ−モノアリールカルバモイル；Ｎ−モノ−（Ｃ１〜Ｃ３５）−アルキル−Ｎ−モノアリールカルバモイル；（Ｃ１〜Ｃ３５）−アルコキシカルボニル；アリールオキシカルボニル；アミノ；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ３５）−アルキルモノアリールアミノ；アミノチオカルボニルアミノ；アミノカルボニルアミノ；スルファモイル；Ｎ−モノシクロ−（Ｃ３〜Ｃ８）−アルキル−スルファモイル；Ｎ−モノ−（Ｃ１〜Ｃ３５）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ３５）−アルキル−スルファモイル；Ｎ−モノアリールスルファモイル；Ｎ，Ｎ−ジアリールスルファモイル；Ｎ−モノシクロ−（Ｃ３〜Ｃ８）−アルキル−Ｎ−モノアリールスルファモイル；Ｎ−モノ−（Ｃ１〜Ｃ３５）−アルキル−Ｎ−モノアリールスルファモイル；アミノスルホニルアミノ；（Ｃ１〜Ｃ３５）−アルキルチオ；アリールチオ；（Ｃ１〜Ｃ３５）−アルキルスルホニル；そのアルキル基が１個若しくは複数のヘテロ原子によって置換された（Ｃ２〜Ｃ３５）−アルキルスルホニル；を表すか、又はアリールスルホニル；を表し；
Ｇ２は、（Ｃ１〜Ｃ３５）−アルキル又は１個若しくは複数のヘテロ原子によって中断された（Ｃ２〜Ｃ３５）−アルキルを表すが、ここでそのアルキル基は、それぞれの場合において、式（４）の基によって置換されており、
【化３】
2012511068.tif 000005
式中、
Ｒ１は、水素；アリール；（Ｃ１〜Ｃ３５）−アルキル；１個若しくは複数のへテロ原子によって中断された（Ｃ２〜Ｃ３５）−アルキル；（Ｃ２〜Ｃ３５）−アシル；シクロ（Ｃ３〜Ｃ８）−アルキルカルボニル、アリールカルボニル、（Ｃ１〜Ｃ３５）−アルコキシカルボニル；アリールオキシカルボニル；（Ｃ１〜Ｃ３５）−アルキルスルホニル、アリールスルホニル；モノヒドロキシ−（Ｃ１〜Ｃ３５）−アルキル；ポリヒドロキシ−（Ｃ２〜Ｃ３５）−アルキル；（Ｃ１〜Ｃ３５）−アルコキシアルキル、又はアリールオキシ−（Ｃ１〜Ｃ３５）−アルキル；を表し；
Ｒ２は、水素、（Ｃ１〜Ｃ３５）−アルキル、単一又は多重に酸素で中断された（Ｃ２〜Ｃ３５）−アルキル、アリール、アリール−（Ｃ１〜Ｃ３５）−アルキル、（Ｃ１〜Ｃ３５）−アルキル−アリール、アリールオキシ、（Ｃ１〜Ｃ３５）−アルコキシ、モノヒドロキシ−（Ｃ１〜Ｃ３５）−アルキル又はポリヒドロキシ−（Ｃ２〜Ｃ３５）−アルキルを表し；そして式（Ｉ）の分子の内部で同一の意味か又は異なった意味を有しており；
ｖは、１〜３５の数を表し；
Ｓは、式（５）の基を表すが、
【化４】
2012511068.tif 000006
式中、
＊は、Ｕ基への結合を示しており；
ｔは、０〜２００の有理数を表し、そして式（Ｉ）の分子の内部で同一の意味か又は異なった意味を有し；そして
Ｒ３及びＲ４はそれぞれ独立して、水素、（Ｃ１〜Ｃ３５）−アルキル、単一又は多重に酸素で中断された（Ｃ２〜Ｃ３５）−アルキル、アリール、アリールオキシ、（Ｃ１〜Ｃ３５）−アルコキシ、モノヒドロキシ−（Ｃ１〜Ｃ３５）−アルキル、又はポリヒドロキシ−（Ｃ２〜Ｃ３５）−アルキルを表すが；
ここで、Ｒ３及びＲ４はそれぞれ、式（Ｉ）の分子の内部で同一の意味か又は異なった意味を有し；そしてここで、Ｒ３とＲ４とが式（Ｉ）の分子の内部で異なった意味を有している場合には、それらの異なった意味が、ランダムに分布しているか、又はそれぞれ同一の意味の領域が交互に並んでおり；
Ｕは、水素、ヒドロキシル、アミノ、モノ−（Ｃ１〜Ｃ３５）−アルキルアミノ、ビス−（Ｃ１〜Ｃ３５）−アルキルアミノ、（Ｃ１〜Ｃ３５）−アルキル、アリール、アリールオキシ、（Ｃ１〜Ｃ３５）−アルコキシ、モノヒドロキシ−（Ｃ１〜Ｃ３５）−アルキル、ポリヒドロキシ−（Ｃ２〜Ｃ３５）−アルキル又は（Ｃ１〜Ｃ３５）−アルキル−アリールオキシを表すが；
ここで、基Ｇ１〜Ｇ６においては、Ａｒは式（６）又は（７）の基を表し、
【化５】
2012511068.tif 000007
式中、
Ｒ５〜Ｒ１１はそれぞれ独立して、Ｇ８〜Ｇ１１の意味の一つを有するか、又は式（８）の基を表し、
【化６】
2012511068.tif 000008
式中、
Ｗは、式（１）、（３）又は（９）の基を表し、
【化７】
2012511068.tif 000009
そして＊は、−ＮＲ１２基への結合を示しており；
Ｒ１２は、水素、アリール、（Ｃ１〜Ｃ３５）−アルキル、１個若しくは複数のへテロ原子によって中断された（Ｃ２〜Ｃ３５）−アルキル、（Ｃ２〜Ｃ３５）−アシル；シクロ（Ｃ３〜Ｃ８）−アルキルカルボニル、アリールカルボニル、（Ｃ１〜Ｃ３５）−アルコキシカルボニル；アリールオキシカルボニル；（Ｃ１〜Ｃ３５）−アルキルスルホニル、アリールスルホニル  モノヒドロキシ−（Ｃ１〜Ｃ３５）−アルキル、ポリヒドロキシ−（Ｃ２〜Ｃ３５）−アルキル、（Ｃ１〜Ｃ３５）−アルコキシアルキル、又はアリールオキシ−（Ｃ１〜Ｃ３５）−アルキル；を表し；
Ｒ１３は、水素、（Ｃ１〜Ｃ１５）−アルキル、単一又は多重に酸素で中断された（Ｃ２〜Ｃ１５）−アルキル、アリール、アリール−（Ｃ１〜Ｃ１５）−アルキル、（Ｃ１〜Ｃ１５）−アルキル−アリール、アリールオキシ、（Ｃ１〜Ｃ１５）−アルコキシ、モノヒドロキシ−（Ｃ１〜Ｃ１５）−アルキル又はポリヒドロキシ−（Ｃ２〜Ｃ１５）−アルキルを表し、式（Ｉ）の分子の内部で同一の意味か又は異なった意味を有することが可能であり；
ｘは、１〜３５の数を表し；
Ｖは、水素、ヒドロキシル、アミノ、モノ−（Ｃ１〜Ｃ３５）−アルキルアミノ、ビス−（Ｃ１〜Ｃ３５）−アルキルアミノ、（Ｃ１〜Ｃ３５）−アルキル、アリール、アリールオキシ、（Ｃ１〜Ｃ３５）−アルコキシ、モノヒドロキシ−（Ｃ１〜Ｃ３５）−アルキル、ポリヒドロキシ−（Ｃ２〜Ｃ３５）−アルキル又は（Ｃ１〜Ｃ３５）−アルキル−アリールオキシを表し；
Ｑは、式（１０）の基を表すが、
【化８】
2012511068.tif 000010
式中、
＊は、Ｖ基への結合を示しており；
Ｒ１４及びＲ１５はそれぞれ独立して、水素、（Ｃ１〜Ｃ３５）−アルキル、単一又は多重に酸素で中断された（Ｃ２〜Ｃ３５）−アルキル、アリール、アリールオキシ、（Ｃ１〜Ｃ３５）−アルコキシ、モノヒドロキシ−（Ｃ１〜Ｃ３５）−アルキル、又はポリヒドロキシ−（Ｃ２〜Ｃ３５）アルキルを表し、式（Ｉ）の分子の内部で同一の意味か又は異なった意味を有するが、Ｒ１４とＲ１５とが、式（Ｉ）の分子の内部で異なった意味を有している場合には、それらの異なった意味のものが、ランダムに分布するか、又はそれぞれ同一の意味の領域が交互に続き；
ｒは、０〜２００の有理数を表し、そして式（Ｉ）の分子の内部で同一の意味か又は異なった意味を有し；
Ｇ８は、水素、（Ｃ１〜Ｃ３５）−アルキル；トリフルオロメチル；シクロ−（Ｃ３〜Ｃ８）−アルキル；アリール；ヘテロアリール；ヘテロシクロアルキル；ハロゲン；シアノ；ニトロ；ヒドロキシル；（Ｃ１〜Ｃ３５）−アルコキシ；アリールオキシ；（Ｃ２〜Ｃ３５）−アシル；シクロ−（Ｃ３〜Ｃ８）−アルキルカルボニル、アリールカルボニル、（Ｃ２〜Ｃ３５）−アシルオキシ；アリールカルボニルオキシ；（Ｃ２〜Ｃ３５）−アシルアミノ；（Ｃ１〜Ｃ３５）−アルキルスルホニルアミノ；アリールスルホニルアミノ；アリールカルボニルアミノ；カルバモイル；Ｎ−モノシクロ−（Ｃ３〜Ｃ８）−アルキル−カルバモイル；Ｎ−モノ−（Ｃ１〜Ｃ３５）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ３５）−アルキル−カルバモイル；Ｎ−モノアリール−カルバモイル；Ｎ，Ｎ−ジアリール−カルバモイル；Ｎ−モノシクロ−（Ｃ３〜Ｃ８）−アルキル−Ｎ−モノアリールカルバモイル；Ｎ−モノ−（Ｃ１〜Ｃ３５）−アルキル−Ｎ−モノアリールカルバモイル；（Ｃ１〜Ｃ３５）−アルコキシカルボニル；アリールオキシカルボニル；アミノ；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ３５）−アルキルモノアリール−アミノ；アミノチオカルボニルアミノ；アミノカルボニルアミノ；スルファモイル；Ｎ−モノシクロ−（Ｃ３〜Ｃ８）−アルキル−スルファモイル；Ｎ−モノ−（Ｃ１〜Ｃ３５）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ３５）−アルキル−スルファモイル；Ｎ−モノアリール−スルファモイル；Ｎ，Ｎ−ジアリール−スルファモイル；Ｎ−モノシクロ−（Ｃ３〜Ｃ８）−アルキル−Ｎ−モノアリールスルファモイル；Ｎ−モノ−（Ｃ１〜Ｃ３５）−アルキル−Ｎ−モノアリールスルファモイル；アミノスルホニルアミノ；（Ｃ１〜Ｃ３５）−アルキルチオ；アリールチオ；（Ｃ１〜Ｃ３５）−アルキルスルホニル、又はアリールスルホニルを表し；
Ｇ９は、（Ｃ２〜Ｃ３５）−アルキル；（Ｃ２〜Ｃ３５）−アルコキシ；（Ｃ２〜Ｃ３５）−アシル；（Ｃ２〜Ｃ３５）−アシルオキシ；（Ｃ２〜Ｃ３５）−アシルアミノ；（Ｃ２〜Ｃ３５）−アルキルスルホニルアミノ；Ｎ−モノ−（Ｃ２〜Ｃ３５）−アルキル−カルバモイル；Ｎ，Ｎ−ジ−（Ｃ２〜Ｃ３５）−アルキル−カルバモイル；Ｎ−モノ−（Ｃ２〜Ｃ３５）−アルキル−Ｎ−モノアリールカルバモイル；（Ｃ２〜Ｃ３５）−アルコキシカルボニル；モノ−（Ｃ２〜Ｃ３５）−アルキル−アミノ；ジ−（Ｃ２〜Ｃ３５）−アルキル−アミノ；モノ−（Ｃ２〜Ｃ３５）−アルキルモノアリール−アミノ；Ｎ−モノ−（Ｃ２〜Ｃ３５）−アルキル−スルファモイル；Ｎ，Ｎ−ジ−（Ｃ２〜Ｃ３５）−アルキル−スルファモイル；Ｎ−モノ−（Ｃ２〜Ｃ３５）−アルキル−Ｎ−モノアリールスルファモイル；（Ｃ２〜Ｃ３５）−アルキルチオ、又は（Ｃ２〜Ｃ３５）−アルキルスルホニルを表すが、ここでそのアルキル基は、１個若しくは複数のヘテロ原子又は１個若しくは複数のヘテロ原子基によって中断されており；
Ｇ１０は、（Ｃ１〜Ｃ３５）−アルキル；シクロ−（Ｃ３〜Ｃ８）−アルキル；ヘテロシクロアルキル；（Ｃ１〜Ｃ３５）−アルコキシ；（Ｃ２〜Ｃ３５）−アシル；シクロ−（Ｃ３〜Ｃ８）−アルキルカルボニル；（Ｃ２〜Ｃ３５）−アシルオキシ；（Ｃ２〜Ｃ３５）−アシルアミノ；（Ｃ１〜Ｃ３５）−アルキルスルホニルアミノ；Ｎ−モノシクロ−（Ｃ３〜Ｃ８）−アルキル−カルバモイル；Ｎ−モノ−（Ｃ１〜Ｃ３５）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ３５）−アルキル−カルバモイル；Ｎ−モノシクロ−（Ｃ３〜Ｃ８）−アルキル−Ｎ−モノアリールカルバモイル；Ｎ−モノ−（Ｃ１〜Ｃ３５）−アルキル−Ｎ−モノアリールカルバモイル；（Ｃ１〜Ｃ３５）−アルコキシカルボニル；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノシクロ−（Ｃ３〜Ｃ８）−アルキルモノアリールアミノ；モノ−（Ｃ１〜Ｃ３５）−アルキルモノアリール−アミノ；Ｎ−モノシクロ−（Ｃ３〜Ｃ８）−アルキル−スルファモイル；Ｎ−モノ−（Ｃ１〜Ｃ３５）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ３５）−アルキル−スルファモイル；Ｎ−モノシクロ−（Ｃ３〜Ｃ８）−アルキル−Ｎ−モノアリールスルファモイル；Ｎ−モノ−（Ｃ１〜Ｃ３５）−アルキル−Ｎ−モノアリールスルファモイル；（Ｃ１〜Ｃ３５）−アルキルチオ、又はそのアルキル基が１個若しくは複数のＧ７置換基によって置換された（Ｃ１〜Ｃ３５）−アルキルスルホニル；を表し；
Ｇ１１は、そのアルキル基が１個若しくは複数のＧ７置換基によって置換されたＧ９を表すが；
ここで、Ｇ７〜Ｇ１１の基においては、アリールは、式（１１）又は（１２）の基を表し、
【化９】
2012511068.tif 000011
式中、
Ｒ１６〜Ｒ２２はそれぞれ独立して、Ｇ１２の基を表し；そして
Ｇ１２は、水素；（Ｃ１〜Ｃ１８）−アルキル；モノヒドロキシ−（Ｃ１〜Ｃ１８）−アルキル；ポリヒドロキシ−（Ｃ２〜Ｃ１８）−アルキル；１個若しくは複数の酸素原子によって中断された（Ｃ２〜Ｃ１８）−アルキル；トリフルオロメチル；シクロ−（Ｃ３〜Ｃ８）−アルキル；ヘテロアリール；ヘテロシクロアルキル；ハロゲン；シアノ；ニトロ；ヒドロキシル；（Ｃ１〜Ｃ１８）−アルコキシ；（Ｃ２〜Ｃ１８）−アシル；シクロ−（Ｃ３〜Ｃ８）−アルキルカルボニル、（Ｃ２〜Ｃ１８）−アシルオキシ；（Ｃ２〜Ｃ１８）−アシルアミノ；（Ｃ１〜Ｃ１８）−アルキルスルホニルアミノ；カルバモイル；Ｎ−モノシクロ−（Ｃ３〜Ｃ８）−アルキル−カルバモイル；Ｎ−モノ−（Ｃ１〜Ｃ１８）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ１８）−アルキル−カルバモイル；（Ｃ１〜Ｃ１８）−アルコキシカルボニル；アミノ；モノシクロ−（Ｃ３〜Ｃ８）−アルキル−アミノ；モノ−（Ｃ１〜Ｃ１８）−アルキル−アミノ；ジ（シクロ）−（Ｃ３〜Ｃ８）−アルキル−アミノ；ジ−（Ｃ１〜Ｃ１８）−アルキル−アミノ；アミノチオカルボニルアミノ；アミノカルボニルアミノ；スルファモイル；Ｎ−モノシクロ−（Ｃ３〜Ｃ８）−アルキル−スルファモイル；Ｎ−モノ−（Ｃ１〜Ｃ１８）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ１８）−アルキル−スルファモイル；アミノスルホニルアミノ；（Ｃ１〜Ｃ１８）−アルキルチオ、又は（Ｃ１〜Ｃ１８）−アルキルスルホニル；を表し；
ここで、
ＸとＴが共に式（１）の基を表す場合には、
ＹとＺが共に、（Ｃ１〜Ｃ３５）−アルキル；Ｒ５、Ｒ６及びＲ７がそれぞれ独立して、水素、ハロゲン、ニトロ、（Ｃ１〜Ｃ３５）−アルキル、（Ｃ１〜Ｃ３５）−アルコキシ；モノ−（Ｃ１〜Ｃ３５）−アルキルアミノ、ジ−（Ｃ１〜Ｃ３５）−アルキルアミノ、（Ｃ１〜Ｃ３５）−アルキルチオ、（Ｃ２〜Ｃ３５）−アシル、ベンゾイルアミノ、若しくはベンゼンスルホニルアミノを表している式（６）の基；又は、Ｒ４、Ｒ５及びＲ６がそれぞれ独立して、水素、ハロゲン、ニトロ、（Ｃ１〜Ｃ３５）−アルキル、（Ｃ１〜Ｃ３５）−アルコキシ；モノ−（Ｃ１〜Ｃ３５）−アルキルアミノ、ジ−（Ｃ１〜Ｃ３５）−アルキルアミノ若しくは（Ｃ１〜Ｃ３５）−アルキルチオを表している式（７）の基によって置換されたメチル若しくはエチル基を表すことはなく；
そして、ＹとＺの内の一方が（Ｃ１〜Ｃ３５）−アルキルを表し、他方が水素を表している場合には、この限りではなく；そして
ＸとＴが共に式（２）の基を表す場合には、
ＹとＺが共に、（Ｃ１〜Ｃ３５）−アルキル；ハロゲンによって置換された（Ｃ１〜Ｃ３５）−アルキル、（Ｃ１〜Ｃ３５）−アルキルスルホニル、置換若しくは非置換のベンゼンスルホニル、又は、Ｒ５、Ｒ６及びＲ７が独立して、水素、ハロゲン、（Ｃ１〜Ｃ３５）−アルキル若しくは（Ｃ１〜Ｃ３５）−アルコキシを表している式（６）の基；Ｒ５、Ｒ６及びＲ７がそれぞれ独立して、水素、ハロゲン、ニトロ、シアノ、（Ｃ１〜Ｃ３５）−アルキル、（Ｃ１〜Ｃ３５）−アルコキシ若しくはアリールを表している式（６）の基；又は置換若しくは非置換ベンゾイルを表すことはなく；そして
ＸとＴが共に式（３）の基を表す場合には、
ＹとＺが共に、Ｒ５、Ｒ６及びＲ７がそれぞれ独立して、水素、ハロゲン、ニトロ、（Ｃ１〜Ｃ３５）−アルキル、（Ｃ１〜Ｃ３５）−アルコキシ；（Ｃ２〜Ｃ３５）−アシル、ベンゾイルアミノ又はベンゼンスルホニルアミノを表している式（６）の基を表すことはない。］
【０００９】
上述の定義において、アルキル基は直鎖であっても、あるいは分岐していてもよく、たとえばメチル、エチル、ｎ−プロピル、イソプロピル、ｎ−ブチル又はイソブチルであるが、ヘキシルたとえばｎ−ヘキシル、ヘプチルたとえばｎ−ヘプチル、オクチルたとえばｎ−オクチル、イソオクチル、ノニルたとえばｎ−ノニル、デシルたとえばｎ−デシル、ドデシルたとえばｎ−ドデシル、ヘキサデシルたとえばｎ−ヘキサデシル、又はオクタデシルたとえばｎ−オクタデシルであってもよい。同様のことが、アルコキシ及びアルキルチオ基の場合にも準用される。
【００１０】
アルキル基が１個若しくは複数のヘテロ原子によって中断されている場合、ヘテロ原子は、酸素、硫黄、スルホニル、カルボニルさらには基−ＮＲ２３であるが、ここでＲ２３は、（Ｃ１〜Ｃ６）−アルキル、モノヒドロキシ−（Ｃ１〜Ｃ６）−アルキル、ポリヒドロキシ−（Ｃ２〜Ｃ６）−アルキル、（Ｃ１〜Ｃ４）−アルキルオキシ−（Ｃ１〜Ｃ６）−アルキル、フェノキシ−（Ｃ１〜Ｃ６）−アルキル、又はフェニルを表す。
【００１１】
シクロアルキル基は、具体的には、シクロプロピル、シクロブチル、シクロペンチル、シクロヘキシル、シクロヘプチル、及びシクロオクチルである。
【００１２】
ヘテロシクロアルキルは、具体的には、３〜８個の環メンバーを有するが、好ましくは、ピロリジン、ピペリジン、モルホリン、又はピペラジンを表す。
【００１３】
ヘテロアリールは、具体的には、５又は６個の環のメンバーを有するが、好ましくは、ピリジン、ピリミジン、ピリダジン、ピラジン、ピロール、イミダゾール、ピラゾール、１，２，４−チアジアゾール、１，２，４−トリアゾール、テトラゾール、チオフェン、チアゾール、イソチアゾール、１，３，４−チアジアゾール、フラン、オキサゾール、又はイソオキサゾールである。
【００１４】
ハロゲンは、具体的には、フッ素、塩素又は臭素である。
【００１５】
本発明による特に好ましい式（Ｉ）の染料は、式（Ｉａ）に合致する。
【化１０】
2012511068.tif 000012
［式中、
Ｙ１及びＺ１はそれぞれ独立して、Ａｒ１；シクロ−（Ｃ３〜Ｃ８）−アルキル；（Ｃ１〜Ｃ３５）−アルキル；１個若しくは複数の酸素若しくは硫黄原子によって中断された（Ｃ２〜Ｃ３５）−アルキル；１個若しくは複数のＧ１３〜Ｇ１６置換基によって置換された（Ｃ１〜Ｃ３５）−アルキル；１個若しくは複数の酸素若しくは硫黄原子によって中断され、かつ１個若しくは複数のＧ１３〜Ｇ１６置換基によって置換された（Ｃ２〜Ｃ３５）−アルキル；を表し；
Ｇ１３は、シクロ−（Ｃ５〜Ｃ６）−アルキル；アリール；５若しくは６個の環メンバーを有するヘテロシクロアルキル；ハロゲン；シアノ；ヒドロキシル；（Ｃ１〜Ｃ１８）−アルコキシ；アリールオキシ；（Ｃ２〜Ｃ１８）−アシル、アリールカルボニル；（Ｃ２〜Ｃ３５）−アシルアミノ；（Ｃ１〜Ｃ３５）−アルキルスルホニルアミノ；アリールスルホニルアミノ；アリールカルボニルアミノ；アミノ；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ３５）−アルキルモノアリール−アミノ；アミノチオカルボニルアミノ；アミノカルボニルアミノ；アミノスルホニルアミノ；（Ｃ１〜Ｃ３５）−アルキルチオ；アリールチオ；（Ｃ１〜Ｃ３５）−アルキルスルホニル、又はアリールスルホニル；を表し；
Ｇ１４は、（Ｃ２〜Ｃ１８）−アルコキシ；（Ｃ２〜Ｃ１８）−アシル、（Ｃ２〜Ｃ３５）−アシルアミノ；（Ｃ２〜Ｃ３５）−アルキルスルホニルアミノ；モノ−（Ｃ２〜Ｃ３５）−アルキル−アミノ；ジ−（Ｃ２〜Ｃ３５）−アルキル−アミノ；モノ−（Ｃ２〜Ｃ３５）−アルキルモノアリール−アミノ；（Ｃ２〜Ｃ３５）−アルキルチオ；又はそのアルキル基が１個若しくは複数のヘテロ原子によって中断された（Ｃ２〜Ｃ３５）−アルキルスルホニル；を表し；
Ｇ１５は、シクロ−（Ｃ５〜Ｃ６）−アルキル；アリール；５若しくは６個の環メンバーを有するヘテロシクロアルキル；（Ｃ１〜Ｃ１８）−アルコキシ；（Ｃ２〜Ｃ１８）−アシル、（Ｃ２〜Ｃ３５）−アシルアミノ；（Ｃ１〜Ｃ３５）−アルキルスルホニルアミノ；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノシクロ−（Ｃ３〜Ｃ８）−アルキルモノアリールアミノ；モノ−（Ｃ１〜Ｃ３５）−アルキルモノアリール−アミノ；（Ｃ１〜Ｃ３５）−アルキルチオ；又はそのアルキル基がＧ１７置換基によって置換された（Ｃ１〜Ｃ３５）−アルキルスルホニル；を表し；
Ｇ１６は、Ｇ１４を表すが、ここでそのアルキル基は、Ｇ１７基によって置換されており；
Ｇ１７は、トリフルオロメチル；シクロ−（Ｃ３〜Ｃ８）−アルキル；アリール；ヘテロアリール；ヘテロシクロアルキル；ハロゲン；シアノ；ニトロ；ヒドロキシル；（Ｃ１〜Ｃ３５）−アルコキシ；アリールオキシ；（Ｃ２〜Ｃ３５）−アシル；アリールカルボニル、（Ｃ２〜Ｃ３５）−アシルオキシ；アリールカルボニルオキシ；（Ｃ２〜Ｃ３５）−アシルアミノ；（Ｃ１〜Ｃ３５）−アルキルスルホニルアミノ；アリールスルホニルアミノ；アリールカルボニルアミノ；カルバモイル；Ｎ−モノシクロ−（Ｃ３〜Ｃ８）−アルキル−カルバモイル；Ｎ−モノ−（Ｃ１〜Ｃ３５）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ３５）−アルキル−カルバモイル；Ｎ−モノアリール−カルバモイル；Ｎ，Ｎ−ジアリール−カルバモイル；Ｎ−モノシクロ−（Ｃ３〜Ｃ８）−アルキル−Ｎ−モノアリールカルバモイル；Ｎ−モノ−（Ｃ１〜Ｃ３５）−アルキル−Ｎ−モノアリールカルバモイル；（Ｃ１〜Ｃ３５）−アルコキシカルボニル；アリールオキシカルボニル；アミノ；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ３５）−アルキルモノアリール−アミノ；アミノチオカルボニルアミノ；アミノカルボニルアミノ；スルファモイル；Ｎ−モノシクロ−（Ｃ３〜Ｃ８）−アルキル−スルファモイル；Ｎ−モノ−（Ｃ１〜Ｃ３５）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ３５）−アルキル−スルファモイル；Ｎ−モノアリール−スルファモイル；Ｎ，Ｎ−ジアリール−スルファモイル；Ｎ−モノシクロ−（Ｃ３〜Ｃ８）−アルキル−Ｎ−モノアリールスルファモイル；Ｎ−モノ−（Ｃ１〜Ｃ３５）−アルキル−Ｎ−モノアリールスルファモイル；アミノスルホニルアミノ；（Ｃ１〜Ｃ３５）−アルキルチオ；アリールチオ；（Ｃ１〜Ｃ３５）−アルキルスルホニル、そのアルキル基が１個若しくは複数のヘテロ原子によって置換された（Ｃ２〜Ｃ３５）−アルキルスルホニル；を表すか、又はアリールスルホニルを表し；
Ａｒ１は、式（６ａ）又は（７ａ）の基を表すが、
【化１１】
2012511068.tif 000013
式中、
Ｒ５’〜Ｒ１１’はそれぞれ独立して、水素；（Ｃ１〜Ｃ３５）アルキル；シクロ−（Ｃ３〜Ｃ８）−アルキル；アリール；ヘテロアリール；ヘテロシクロアルキル；ハロゲン；シアノ；ニトロ；ヒドロキシル；（Ｃ１〜Ｃ３５）−アルコキシ；アリールオキシ；（Ｃ２〜Ｃ３５）−アシル；シクロ−（Ｃ３〜Ｃ８）−アルキルカルボニル、アリールカルボニル、（Ｃ２〜Ｃ３５）−アシルオキシ；アリールカルボニルオキシ；（Ｃ２〜Ｃ３５）−アシルアミノ；（Ｃ１〜Ｃ３５）−アルキルスルホニルアミノ；アリールスルホニルアミノ；アリールカルボニルアミノ；カルバモイル；Ｎ−モノシクロ−（Ｃ３〜Ｃ８）−アルキル−カルバモイル；Ｎ−モノ−（Ｃ１〜Ｃ３５）−アルキル−カルバモイル；Ｎ，Ｎ−ジシクロ−（Ｃ３〜Ｃ８）−アルキル−カルバモイル；Ｎ，Ｎ−ジ−（Ｃ１〜Ｃ３５）−アルキル−カルバモイル；Ｎ−モノアリール−カルバモイル；Ｎ，Ｎ−ジアリール−カルバモイル；Ｎ−モノシクロ−（Ｃ３〜Ｃ８）−アルキル−Ｎ−モノアリールカルバモイル；Ｎ−モノ−（Ｃ１〜Ｃ３５）−アルキル−Ｎ−モノアリールカルバモイル；（Ｃ１〜Ｃ３５）−アルコキシカルボニル；アリールオキシカルボニル；アミノ；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ３５）−アルキルモノアリール−アミノ；アミノチオカルボニルアミノ；アミノカルボニルアミノ；スルファモイル；Ｎ−モノシクロ−（Ｃ３〜Ｃ８）−アルキル−スルファモイル；Ｎ−モノ−（Ｃ１〜Ｃ３５）−アルキル−スルファモイル；Ｎ，Ｎ−ジシクロ−（Ｃ３〜Ｃ８）−アルキル−スルファモイル；Ｎ，Ｎ−ジ−（Ｃ１〜Ｃ３５）−アルキル−スルファモイル；Ｎ−モノアリール−スルファモイル；Ｎ，Ｎ−ジアリール−スルファモイル；Ｎ−モノシクロ−（Ｃ３〜Ｃ８）−アルキル−Ｎ−モノアリールスルファモイル；Ｎ−モノ−（Ｃ１〜Ｃ３５）−アルキル−Ｎ−モノアリールスルファモイル；アミノスルホニルアミノ；（Ｃ１〜Ｃ３５）−アルキルチオ；アリールチオ；（Ｃ１〜Ｃ３５）−アルキルスルホニル、又はアリールスルホニル又は式（８ａ）の置換基；を表すが；
【化１２】
2012511068.tif 000014
式中、
Ｗは、先に定義されたものであり；
Ｒ１２’は、水素、（Ｃ２〜Ｃ３５）−アシル；シクロ（Ｃ３〜Ｃ８）−アルキルカルボニル、アリールカルボニル、（Ｃ１〜Ｃ３５）−アルキルスルホニル、又はアリールスルホニルを表し；
Ｒ１３’は、水素又は（Ｃ１〜Ｃ１５）−アルキルを表すが、式（Ｉａ）の分子の内部で同一の意味か又は異なった意味を有し；
ｘ’は、１〜１０の数を表し；
Ｖ１は、水素、（Ｃ１〜Ｃ３５）−アルキル、アリール、アリールオキシ、（Ｃ１〜Ｃ３５）−アルコキシ、又は（Ｃ１〜Ｃ３５）−アルキル−アリールオキシを表し；
Ｑ１は、式（１０ａ）の基を表すが、
【化１３】
2012511068.tif 000015
式中、
＊は、Ｖ１基への結合を示しており；
Ｒ１４’及びＲ１５’はそれぞれ独立して、水素又は（Ｃ１〜Ｃ３５）−アルキルを表し、式（Ｉａ）の分子の内部で同一の意味か又は異なった意味を有し、Ｒ１４’とＲ１５’とが、式（Ｉａ）の分子の内部で異なった意味を有している場合には、それらの異なった意味のものが、ランダムに分布するか、又はそれぞれ同一の意味の領域が交互に続き；
ｒ’は、０〜１００の有理数を表し、そして式（Ｉａ）の分子の内部で同一の意味か又は異なった意味を有し；そして
アリールは、先に定義されたものである。］
【００１６】
式（Ｉａ）の特に好ましい染料においては、Ｙ１及びＺ１はそれぞれ独立して、（Ｃ８〜Ｃ２０）−アルキル；シクロペンチル；塩素、シクロペンチル、シクロヘキシル、（Ｃ１〜Ｃ４）−アルコキシ、（Ｃ６〜Ｃ２０）−アルキルアミノ、１個のＳ又は１個のＯによって中断された（Ｃ６〜Ｃ２０）−アルキルアミノ、そのアルキル基がＮＨ基によって中断されている（Ｃ１〜Ｃ１８）−アルキルスルホニルによってそのアルキル基が置換された（Ｃ１〜Ｃ４）−アルキルアミノ、（Ｃ６〜Ｃ２０）−アルキルチオ、シクロヘキシル−（Ｃ１〜Ｃ４）−アルキルアミノ、フェニル−（Ｃ１〜Ｃ４）−アルコキシ、フェニル−（Ｃ１〜Ｃ４）−アルキルアミノ、（Ｃ１〜Ｃ４）−アルコキシ−（Ｃ１〜Ｃ４）−アルキルアミノ、式（１４）の基からなる群より選択される置換基によって置換されたシクロヘキシル若しくは（Ｃ１〜Ｃ４）−アルキル；を表すが；
【化１４】
2012511068.tif 000016
式中、
Ａは、−Ｏ−、−Ｓ−、−ＮＨ−、又は−ＮＨＣＨ２ＣＨ２−を表し；そして
Ｄは、水素；（Ｃ１〜Ｃ１８）−アルキル；式−Ｏ−（ＣＨ２）ｎ−ＳＯ２−（ＣＨ２）ｍ−ＯＨの基（ここでｎ及びｍはそれぞれ独立して、１〜４の整数を表す）；式−ＳＯ２−ＣＨ２ＣＨ２ＯＨの基；及び式（６ａ’）の基；を表すが；
【化１５】
2012511068.tif 000017
式中、
Ｒ１３’’は、水素、又はメチルを表し；
Ｖ１’は、水素又は（Ｃ１〜Ｃ４）−アルコキシを表し；
ｘ’’は、１〜１２の数を表し；
Ｑ１’は、式（１０ａ’）の基を表し；
【化１６】
2012511068.tif 000018
式中、
＊は、Ｖ’基への結合を示しており；
Ｒ１４’’及びＲ１５’’はそれぞれ独立して、水素又はメチルを表し；そして
ｒ’’は、０〜１０の数を表すか；
又は
Ｙ１及びＺ１はそれぞれ独立して、フェニル；ナフタレン；又はフェニル、フェニル−（Ｃ１〜Ｃ４）−アルコキシ、若しくはそのアルキル基が、ＮＨ基によるか、若しくはＮＨ基及び２〜１２個の酸素原子によって中断されている（Ｃ１〜Ｃ３５）−アルキルスルホニルによって置換されたフェニル；を表す。］
【００１７】
式（Ｉａ）の染料の例は、式（Ｉａ１）〜（Ｉａ３９）の染料である。
【化１７】
2012511068.tif 000019
【化１８】
2012511068.tif 000020
【化１９】
2012511068.tif 000021
【化２０】
2012511068.tif 000022
【化２１】
2012511068.tif 000023
【化２２】
2012511068.tif 000024
【化２３】
2012511068.tif 000025
【化２４】
2012511068.tif 000026
【化２５】
2012511068.tif 000027
【化２６】
2012511068.tif 000028
【００１８】
本発明によるさらに特に好ましい式（Ｉ）の染料は、式（Ｉｂ）に合致する。
【化２７】
2012511068.tif 000029
［式中、
Ｙ２及びＺ２はそれぞれ独立して、（Ｃ１〜Ｃ３５）−アルキル、又は１個若しくは複数のヘテロ原子によって中断された（Ｃ２〜Ｃ３５）−アルキルを表すが、ここで、それぞれの場合において、そのアルキル基が式（４ａ）の基によって置換されており、
【化２８】
2012511068.tif 000030
式中、
Ｒ１’は、水素又は（Ｃ１〜Ｃ３５）−アルキルを表し；
Ｒ２’は、水素又は（Ｃ１〜Ｃ３５）−アルキルを表すが、式（Ｉｂ）の分子の内部で同一の意味か又は異なった意味を有し；
ｖ’は、１〜１０の数を表し；
Ｓ１は、式（５ａ）の基を表すが；
【化２９】
2012511068.tif 000031
式中、
＊は、Ｕ１基への結合を示しており；
ｔ’は、０〜１００の有理数を表し、そして式（Ｉｂ）の分子の内部で同一の意味か又は異なった意味を有し；そして
Ｒ３’及びＲ４’はそれぞれ独立して、水素又は（Ｃ１〜Ｃ３５）−アルキルを表すが、ここでＲ３’とＲ４’とがそれぞれ、式（Ｉｂ）の分子の内部で同一の意味か又は異なった意味を有しており；そして、Ｒ３’とＲ４’とが、式（Ｉｂ）の分子の内部で異なった意味を有している場合には、それらの異なった意味のものが、ランダムに分布するか、又はそれぞれ同一の意味の領域が交互に続き；そして
Ｕ１は、水素、（Ｃ１〜Ｃ３５）−アルキル、アリール、アリールオキシ、（Ｃ１〜Ｃ３５）−アルコキシ、又は（Ｃ１〜Ｃ３５）−アルキル−アリールオキシを表す。］
【００１９】
特に好ましい式（Ｉｂ）の染料においては、Ｙ２及びＺ２はそれぞれ独立して、（Ｃ１〜Ｃ６）−アルキル、又は−ＮＨ−基及び−ＳＯ２−基によって中断された（Ｃ２〜Ｃ６）−アルキルを表すが、それぞれの場合においてそのアルキル基は、式（４ａ）の基によって置換されており；ここで、
Ｒ１’は、水素を表し；
Ｒ２’は、水素、又はメチルを表し；
ｖ’は、１を表し；
ｔ’は、１〜２０の数を表し；
Ｒ３’及びＲ４’はそれぞれ独立して、水素又はメチルを表すが、ここでＲ３’とＲ４’とがそれぞれ、式（Ｉｂ）の分子の内部で同一の意味か又は異なった意味を有しており；そして、Ｒ３’とＲ４’とが、式（Ｉｂ）の分子の内部で異なった意味を有している場合には、それらの異なった意味のものが、ランダムに分布するか、又はそれぞれ同一の意味の領域が交互に続き；そして
Ｕ１は、（Ｃ１〜Ｃ１２）−アルコキシ、又は（Ｃ５〜Ｃ１０）−アルキルによって置換されたフェノキシである。
【００２０】
式（Ｉｂ）の染料の例は、式（Ｉｂ１）〜（Ｉｂ４）の染料である。
【化３０】
2012511068.tif 000032
【化３１】
2012511068.tif 000033
【００２１】
本発明によるさらに特に好ましい式（Ｉ）の染料は、式（Ｉｃ）に合致する。
【化３２】
2012511068.tif 000034
［式中、Ｙ１及びＺ１はそれぞれ、先に定義されたものである。］
【００２２】
式（Ｉｃ）の特に好ましい染料においては、Ｙ１及びＺ１はそれぞれ独立して、アセチルアミノ、（Ｃ１〜Ｃ６）−アルキル、（Ｃ１〜Ｃ４）−アルコキシ、トリフルオロメチル若しくはフェニルによって置換されたフェニル；（Ｃ１〜Ｃ１０）−アルキル；シクロヘキシル；又はフェニル、（Ｃ４〜Ｃ１８）−アルキルアミノ、（Ｃ１〜Ｃ４）−アルコキシ−フェノキシによるか若しくは式（４ａ）の基によって置換された（Ｃ１〜Ｃ４）−アルキルであり；
【化３３】
2012511068.tif 000035
式中、
Ｒ１’は、水素を表し；
Ｒ２’は、水素、又はメチルを表し；
ｖ’は、１を表し；
Ｓ１は、式（５ａ）の基を表すが；
【化３４】
2012511068.tif 000036
式中、
＊は、Ｕ１基への結合を示しており；
ｔ’は、１〜２０の数を表し；
Ｒ３’及びＲ４’はそれぞれ独立して、水素又はメチルを表すが、ここでＲ３’とＲ４’とがそれぞれ、式（Ｉｃ）の分子の内部で同一の意味か又は異なった意味を有しており；そして、Ｒ３’とＲ４’とが、式（Ｉｃ）の分子の内部で異なった意味を有している場合には、それらの異なった意味のものが、ランダムに分布するか、又はそれぞれ同一の意味の領域が交互に続き；そして
Ｕ１は、（Ｃ１〜Ｃ１２）−アルコキシを表す。］
【００２３】
式（Ｉｃ）の染料の例は、式（Ｉｃ１）〜（Ｉｃ１３）の染料である。
【化３５】
2012511068.tif 000037
【化３６】
2012511068.tif 000038
【化３７】
2012511068.tif 000039
【００２４】
本発明によるさらに特に好ましい式（Ｉ）の染料は、式（Ｉｄ）に合致する。
【化３８】
2012511068.tif 000040
［式中、
Ｙ３及びＺ３はそれぞれ独立して、ナフチル；Ｇ１８置換基の１個若しくは複数によって置換された（Ｃ１〜Ｃ３５）−アルキル；又は、１個若しくは複数の酸素若しくは硫黄原子によって中断され、かつＧ１８置換基の１個若しくは複数によって置換された（Ｃ２〜Ｃ３５）−アルキル；を表し；
Ｇ１８は、シクロ−（Ｃ３〜Ｃ８）−アルキル；アリール；ハロゲン；シアノ；（Ｃ１〜Ｃ３５）−アルコキシ；アリールオキシ；（Ｃ２〜Ｃ３５）−アシル；アリールカルボニル、（Ｃ２〜Ｃ３５）−アシルアミノ；（Ｃ１〜Ｃ３５）−アルキルスルホニルアミノ；アリールスルホニルアミノ；アリールカルボニルアミノ；アミノ；モノシクロ−（Ｃ３〜Ｃ８）−アルキル−アミノ；モノ−（Ｃ１〜Ｃ３５）−アルキル−アミノ；ジ（シクロ）−（Ｃ３〜Ｃ８）−アルキル−アミノ；ジ−（Ｃ１〜Ｃ３５）−アルキル−アミノ；モノアリール−アミノ；ジアリール−アミノ；モノシクロ−（Ｃ３〜Ｃ８）−アルキルモノアリールアミノ；モノ−（Ｃ１〜Ｃ３５）−アルキルモノアリール−アミノ；アミノチオカルボニルアミノ；アミノカルボニルアミノ；アミノスルホニルアミノ；（Ｃ１〜Ｃ３５）−アルキルチオ；アリールチオ；（Ｃ１〜Ｃ３５）−アルキルスルホニル、アリールスルホニル、又は先に定義された式（４）の基、好ましくは先に定義された（４ａ）の基；を表す。］
【００２５】
式（Ｉｄ）の特に好ましい染料においては、Ｙ３及びＺ３がそれぞれ独立して、（Ｃ１０〜Ｃ２０）−チオアルキル、（Ｃ１０〜Ｃ２０）−アルキルアミノ、クロロフェニル、フェニル−（Ｃ１〜Ｃ４）−アルコキシ、フッ素、１個、２個若しくは３個の塩素によるか、又は式（４ａ）の基によって置換された、ナフチル又は（Ｃ１〜Ｃ６）−アルキルを表すが、
【化３９】
2012511068.tif 000041
式中、
Ｒ１’は、水素を表し；
Ｒ２’は、水素、又はメチルを表し；
ｖ’は、１を表し；
Ｓ１は、式（５ａ）の基を表すが；
【化４０】
2012511068.tif 000042
式中、
＊は、Ｕ１基への結合を示しており；
ｔ’は、１〜２０の数を表し；
Ｒ３’及びＲ４’はそれぞれ独立して、水素又はメチルを表すが、ここでＲ３’とＲ４’とがそれぞれ、式（Ｉｄ）の分子の内部で同一の意味か又は異なった意味を有しており；そして、Ｒ３’とＲ４’とが、式（Ｉｄ）の分子の内部で異なった意味を有している場合には、それらの異なった意味のものが、ランダムに分布するか、又はそれぞれ同一の意味の領域が交互に続き；そして
Ｕ１は、（Ｃ１〜Ｃ１２）−アルコキシを表す。］
【００２６】
式（Ｉｄ）の染料の例は、式（Ｉｄ１）〜（Ｉｄ１５）の染料である。
【化４１】
2012511068.tif 000043
【化４２】
2012511068.tif 000044
【化４３】
2012511068.tif 000045
【００２７】
式（Ｉ）の染料は、式（ＩＩ）の化合物を、
【化４４】
2012511068.tif 000046
式（ＩＩＩ）の化合物及び式（ＩＶ）の化合物と反応させることによって、得ることができる。
Ｋ−Ｘ−Ｙ（ＩＩＩ）      Ｋ−Ｔ−Ｚ（ＩＶ）
［式中、Ｘ、Ｙ、Ｔ及びＺはそれぞれ先に定義されたものであり、Ｋは塩素又は臭素を表している。］
【００２８】
この反応は、具体的には、５０〜２００℃、より好ましくは５０〜１８０℃の温度で、たとえばピリジン、ピペリジン、酢酸ナトリウム、炭酸カリウム又は塩化アルミニウムのような塩基の非存在下若しくは存在下、好ましくは湿分の非存在下、および窒素蒸気を用いて実施する。使用される反応媒体は、不活性溶媒又は不活性溶媒の混合物であるのが好ましい。有用な溶媒としては以下のものが挙げられる：塩素化溶媒たとえば、クロロベンゼン又は１，２−ジクロロベンゼン；アルコールたとえば、ｎ−ペンタノール、１−メトキシ−２−プロパノール、２−エチルヘキサノール、２−メチル−１−ブタノール、イソアミルアルコール、ベンジルアルコール、シクロヘキサノール；グリコール及びそれらの誘導体たとえば、エチレングリコールジエチルエーテル、エチレングリコールモノメチルエーテル、エチレングリコールモノエチルエーテル、エチレングリコールモノイソプロピルエーテル、エチレングリコールモノブチルエーテル、ジエチレングリコールジメチルエーテル、ジエチレングリコールジエチルエーテル、ジエチレングリコールモノメチルエーテル、エチレングリコール、ジエチレングリコールモノエチルエーテル、ジプロピレングリコール：エーテルたとえば、ジブチルエーテル、ジイソブチルエーテル、ジイソアミルエーテル、ジ−ｎ−アミルエーテル；又はさらにその他の極性又は無極性不活性溶媒たとえば、エチルベンゼン、アニソール、Ｎ，Ｎ−ジメチルホルムアミド、Ｎ，Ｎ−ジメチルアセトアミド、スルホラン、Ｎ−メチルピロリドン、トルエン、１，２−キシレン、１，３−キシレン、１，４−キシレン、又はそれらの混合物。
【００２９】
そのような反応は、公知であって、たとえば独特特許第３５１４０７７号明細書及び欧州特許出願公開第０  ７１０  ７０６Ａ２号明細書に記載がある。
【００３０】
対称的に置換された式（Ｉ）の染料の場合においては、式（ＩＩＩ）及び（ＩＶ）の化合物は混合物として、式（ＩＩ）の化合物と反応させることができる。式（Ｉ）の対称的に置換された染料の場合においては、その縮合反応は、形成される中間体の単離を行うか、又は行わずに、連続的に実施することができる。
【００３１】
式（Ｉ）のある種の染料、たとえば式（Ｉｂ）のものは、別方法の、２段プロセスに従って調製するのが好ましい。この２段プロセスの別方法においては、その第一工程には、上記のようにして、式（ＩＩ）の化合物を、式（ＩＩＩ）及び（ＩＶ）の化合物と反応させることが含まれるが、ただし、基Ｙ又はＺには、官能基たとえば、塩素原子を含んでいる。合成の次の工程において、そうして得られた染料を次いで求核剤と反応させて、式（Ｉ）のさらなる染料を形成させることができる。適切な求核剤は、たとえばアミン及びメルカプタン誘導体である。そのような誘導体は公知であり、市販されている。
【００３２】
好適なアミン誘導体は、具体的には、Ｈｕｎｔｓｍａｎ（Ｔｈｅ  Ｗｏｏｄｌａｎｄｓ，ＴＸ，ＵＳＡ）から、Ｊｅｆｆａｍｉｎｅ（登録商標）の商品名で販売されている化合物である。例としては、以下のものが挙げられる：Ｊｅｆｆａｍｉｎｅ  Ｍ−６００、Ｊｅｆｆａｍｉｎｅ  Ｍ−２００５、Ｊｅｆｆａｍｉｎｅ  Ｍ−２０７０、Ｊｅｆｆａｍｉｎｅ  Ｍ−１０００、Ｊｅｆｆａｍｉｎｅ  Ｄ−２３０、Ｊｅｆｆａｍｉｎｅ  Ｄ−４００、Ｊｅｆｆａｍｉｎｅ  Ｄ−２０００、Ｊｅｆｆａｍｉｎｅ  Ｄ−４０００、Ｊｅｆｆａｍｉｎｅ  ＨＫ−５１１、Ｊｅｆｆａｍｉｎｅ  ＥＤ−６００、Ｊｅｆｆａｍｉｎｅ  ＥＤ−９００、Ｊｅｆｆａｍｉｎｅ  ＥＤ−２００３、Ｊｅｆｆａｍｉｎｅ  ＥＤ−２００１、Ｊｅｆｆａｍｉｎｅ  ＥＤＲ−１４８、Ｊｅｆｆａｍｉｎｅ  ＥＤＲ−１７６、Ｊｅｆｆａｍｉｎｅ  Ｔ−４０３、Ｊｅｆｆａｍｉｎｅ  Ｍ−３０００、Ｊｅｆｆａｍｉｎｅ  Ｔ−５０００、Ｊｅｆｆａｍｉｎｅ  ＸＴＪ−４３５、及びＪｅｆｆａｍｉｎｅ  ＸＴＪ−４３６。これらの化合物を使用すると、得られる式（Ｉ）の染料は、統計的なポリマー性混合物を形成する。
【００３３】
式（ＩＩ）の化合物は、Ｃｏｌｏｕｒ  Ｉｎｄｅｘ染料Ｃ．Ｉ．Ｐｉｇｍｅｎｔ  Ｒｅｄ１７７として公知であって、市販されている。
【００３４】
同様にして、式（ＩＩＩ）及び（ＩＶ）の化合物も市場で入手可能であるか、又は公知の方法に従って得ることができる。
【００３５】
式（Ｉ）の染料は、合成した後で、濾過、抽出、又は蒸発、さらには必要であれば乾燥によって単離することができる。しかしながら、さらなる作業を施すことなく、使用することもできる。
【００３６】
本発明による式（Ｉ）の染料は、ポリマーの着色に直接使用することもできるし、あるいは、それらを仕上（コンディショニング）操作にかけることによりそれらを販売可能な染料調製物とする。
【００３７】
仕上は、単一の式（Ｉ）の染料から、又は２種以上の式（Ｉ）の染料の混合物から、又は１種若しくは複数の式（Ｉ）の染料とその他の染料タイプたとえば顔料若しくは油溶性染料の染料との混合物から、適切であるならば、助剤たとえば表面変性剤及び分散剤の助けを借りて、液体若しくは固体のキャリヤー物質の中に分散、懸濁又は溶解させ、さらには適切であるならば、所望の色強度および所望の色相に標準化させ、そして適切であるならばそのようにして得られた調製物を乾燥させることにより、実施することができる。
【００３８】
式（Ｉ）の染料を含む調製物には、粘度／流動性を変性するための助剤をさらに含んでいてもよい。
【００３９】
そのタイプの有用な助剤は、たとえば米国特許第６，６０５，１２６号明細書に記載されている。好適な例としては、エチレングリコール、プロピレングリコール、ポリエーテルポリオール、ポリエステルポリオール、ラクトン、及び炭酸エステルが挙げられる。
【００４０】
したがって、本発明はさらに、１種若しくは複数の式（Ｉ）の染料と、粘度／流動性を改良するための１種若しくは複数の助剤とを含む染料調製物も提供する。
【００４１】
それらの染料調製物には、いずれも染料調製物を基準にして、５％〜１００重量％の量の１種若しくは複数の式（Ｉ）の染料と、０％〜９５重量％の量の粘度／流動性を改良するための１種若しくは複数の助剤とを含んでいるのが好ましい。
【００４２】
本発明はさらに、ポリマーを着色するための、式（Ｉ）の染料の使用もまた提供する。
【００４３】
ここで可能な手順は、式（Ｉ）の染料をポリマーと混合する方法である。
【００４４】
さらに、本発明による式（Ｉ）の染料を、マスターバッチの形態で使用することもまた可能である。マスターバッチは、キャリヤー物質と着色剤とからなる染料コンセントレートであって、その着色剤が、最終用途の場合よりも高い濃度で存在しており、またそのキャリヤー物質は、着色される物質との相溶性を有するように構成されている。使用されるキャリヤー物質は、ポリマー、たとえばポリオレフィン、ポリウレタン、ポリ塩化ビニル、ポリエステル、ポリアミド、ポリカーボネート、又はポリスチレンとすることができる。好適なポリマーは、ポリオレフィン、たとえばポリエチレン又はポリプロピレン、及びポリオレフィンとのコポリマーである。有用なキャリヤー物質としては、パラフィンオイル及びポリグリコールがさらに挙げられる。それらの染料マスターバッチは特に、それらが、５％〜６０重量％の量の１種若しくは複数の本発明による式（Ｉ）の染料と４０％〜９５重量％の量の１種若しくは複数のキャリヤー物質とを含むことを特徴としている。
【００４５】
式（Ｉ）の染料は、市販されている油溶性染料に比較して、特にポリオレフィン物質の着色において、ブリード／移行堅牢性において利点を有している。それらの利点は、ポリプロピレン、ポリプロピレンコポリマー及びポリプロピレンブレンド物の着色において特に顕著である。着色されたポリマーにおいて良好な耐ブリード堅牢性を達成するためには、十分に高いモル質量を有する式（Ｉ）の化合物を使用するのが好ましい。
【００４６】
本発明を説明するために以下の実施例を挙げるが、本発明がそれらの実施例に限定されることはない。部及びパーセントは、特に記さない限り、重量基準である。重量部と容積部の関係は、キログラムとリットルの関係に等しい。
【実施例】
【００４７】
実施例１
ａ）７．１２部の式（ＩＩ）の化合物、７５部のクロロベンゼン、及び８．７３部の塩化３−シクロヘキシルプロピオニル（Ａｃｒｏｓ製）の混合物を、その混合物の沸騰温度で還流下で３時間撹拌し、冷却し、メタノールを混合する。単離された沈殿物を、希水酸化ナトリウム水溶液を用いて撹拌して取り出し、濾過し、水を用いて中性になるまで洗浄し、乾燥させると、式（Ｉａ７）の染料が得られる。
【００４８】
ｂ）１ｇのａ）により得られた染料を乳鉢の中で微粉砕し、２ｋｇのポリプロピレンペレット（Ｂａｓｅｌｌ製のＭｏｐｌｅｎ  ＲＰ３４０Ｒ）の中にすべて添加する。ローラーミル上でこの混合物を均質になるまで粉砕してから、二軸スクリュー押出機（Ｌｅｉｓｔｒｉｔｚ製のＺＳＥ  １８ＨＰ−Ｄ４０）で押出加工して、ペレット化させる。得られたペレットを、射出成形機（Ａｒｂｕｒｇ製の４２０Ｃ、１０００−１００）で加工して、透明で黄色のサンプルプラックを成形することができる。その染料は、ｐｒＥＮ１４４６９−４において極めて良好な耐ブリード堅牢性、ＥＮ１２８７７−２において熱に対する高い色安定性、そしてＥＮ  ＩＳＯ  １０５−Ｂ０１において高い耐光堅牢性を有している。
【００４９】
実施例２
ａ）１４．２４部の式（ＩＩ）の化合物、１２５部の１，２−ジクロロベンゼン、及び１４．３６部の塩化３−シクロヘキサンカルボニル（Ａｌｄｒｉｃｈ製）の混合物を、１８０℃で１時間撹拌し、冷却し、メタノールを混合する。単離された沈殿物を、希水酸化ナトリウム水溶液を用いて撹拌して取り出し、濾過し、水を用いて中性になるまで洗浄し、乾燥させると、式（Ｉａ２４）の染料が得られる。
【００５０】
ｂ）０．８ｇのａ）により得られた染料を乳鉢の中で微粉砕し、２ｋｇのポリプロピレンペレット（Ｂａｓｅｌｌ製のＭｏｐｌｅｎ  ＲＰ３４０Ｒ）の中にすべて添加する。ローラーミル上でこの混合物を均質になるまで粉砕してから、二軸スクリュー押出機（Ｌｅｉｓｔｒｉｔｚ製のＺＳＥ  １８ＨＰ−Ｄ４０）で押出加工して、ペレット化させる。得られたペレットを、射出成形機（Ａｒｂｕｒｇ製の４２０Ｃ、１０００−１００）で加工して、透明で黄色のサンプルプラックを成形することができる。その染料は、ｐｒＥＮ１４４６９−４において極めて良好な耐ブリード堅牢性、ＥＮ１２８７７−２において熱に対する高い色安定性、そしてＥＮ  ＩＳＯ  １０５−Ｂ０１において高い耐光堅牢性を有している。
【００５１】
実施例３
２８．４８部の式（ＩＩ）の化合物、２１０部のクロロベンゼン、及び１８．２部の塩化クロロアセチル（Ｒｉｅｄｅｌ−ｄｅ  Ｈａｅｎ製）の混合物を、１００℃で４時間撹拌し、冷却して、濾過する。単離された沈殿物を、希水酸化ナトリウム水溶液を用いて撹拌して取り出し、濾過し、水を用いて中性になるまで洗浄し、乾燥させると、式（Ｉａ３９）の染料が得られる。
【００５２】
実施例４
１０部の実施例３による式（Ｉａ３９）の染料、５０部のスルホラン、１４．２０部の１−ドデカンチオール（Ｆｌｕｋａ製）、及び９．４部の炭酸カリウムの混合物を、１２５℃で５時間撹拌する。冷却させた後、その反応混合物を水性メタノールと混合し、単離された沈殿物を、水を用いて洗浄して中性とし、乾燥させると、式（Ｉａ４）の染料が得られる。
【００５３】
実施例５
７．９部の実施例３による式（Ｉａ３９）の染料と５０部のＪｅｆｆａｍｉｎｅ（登録商標）Ｍ−６００との混合物を、１５０℃で４時間撹拌する。冷却させた後、その反応混合物を水性メタノールと混合し、単離された沈殿物を、酸洗浄してから中性とし、乾燥させると、式（Ｉｂ１）の染料が得られる。
【００５４】
実施例６
ａ）３．６部の式（ＩＩ）の化合物、５０部の１，２−ジクロロベンゼン、及び６．１部の塩化ビフェニル−４−スルホニル（Ａｌｄｒｉｃｈ製）の混合物を、１８５℃で６時間撹拌し、冷却し、水性メタノールを混合する。単離された沈殿物を、メタノールを用いて精製し、乾燥させると、式（Iｃ８）の染料が得られる。
【００５５】
ｂ）１．１６ｇのａ）により得られた染料を乳鉢の中で微粉砕し、２ｋｇのポリプロピレンペレット（Ｂａｓｅｌｌ製のＭｏｐｌｅｎ  ＲＰ３４０Ｒ）の中にすべて添加する。ローラーミル上でこの混合物を均質になるまで粉砕してから、二軸スクリュー押出機（Ｌｅｉｓｔｒｉｔｚ製のＺＳＥ  １８ＨＰ−Ｄ４０）で押出加工して、ペレット化させる。得られたペレットを、射出成形機（Ａｒｂｕｒｇ製の４２０Ｃ、１０００−１００）で加工して、透明でオレンジ色のサンプルプラックを成形することができる。その染料は、ｐｒＥＮ１４４６９−４において極めて良好な耐ブリード堅牢性、ＥＮ１２８７７−２において熱に対する高い色安定性、そしてＥＮ  ＩＳＯ  １０５−Ｂ０１において高い耐光堅牢性を有している。
【００５６】
実施例７
３．３部の式（ＩＩ）の化合物、４０部の１，２−ジクロロベンゼン、及び１０．０部の２−ベンジルオキシエチルクロロホーメート（Ａｌｄｒｉｃｈ製）の混合物を、１８５℃で１０時間撹拌する。冷却させた後、その反応混合物を水性メタノールと混合し、単離された沈殿物を、メタノールを用いて精製し、乾燥させると、式（Ｉｄ６）の染料が得られる。
【００５７】
実施例８
ａ）７．１２部の式（ＩＩ）の化合物、７５部のクロロベンゼン、及び８．３８部の塩化３−シクロペンチルプロピオニル（Ａｌｄｒｉｃｈ製）の混合物を、１８０℃で２時間撹拌し、冷却し、濾過する。単離された沈殿物を、温メタノールを用いて精製し、乾燥させると、式（Iａ８）の染料が得られる。
【００５８】
ｂ）１ｇのａ）により得られた染料を乳鉢の中で微粉砕し、２ｋｇのポリプロピレンペレット（Ｂａｓｅｌｌ製のＭｏｐｌｅｎ  ＲＰ３４０Ｒ）の中にすべて添加する。ローラーミル上でこの混合物を均質になるまで粉砕してから、二軸スクリュー押出機（Ｌｅｉｓｔｒｉｔｚ製のＺＳＥ  １８ＨＰ−Ｄ４０）で押出加工して、ペレット化させる。得られたペレットを、射出成形機（Ａｒｂｕｒｇ製の４２０Ｃ、１０００−１００）で加工して、透明で黄色のサンプルプラックを成形することができる。その染料は、ｐｒＥＮ１４４６９−４において極めて良好な耐ブリード堅牢性、ＥＮ１２８７７−２において熱に対する高い色安定性、そしてＥＮ  ＩＳＯ  １０５−Ｂ０１において高い耐光堅牢性を有している。
【国際調査報告】
2012511068.tif 000067
2012511068.tif 000068
2012511068.tif 000069